(57)【特許請求の範囲】
【請求項１】
周囲に複数の図柄が付された回転リールと、
回転リールの回転を開始させるためのスタートスイッチと、
回転リールの回転を停止させるためのストップスイッチと、を備え、
遊技媒体のベットにより遊技の開始を可能とし、スタートスイッチの操作を条件として回転リールの回転を開始させ、複数の役のいずれかに当選か又はハズレかの役抽選を行い、該抽選の結果及びストップスイッチの操作に基づいて回転リールの回転を適位置で停止させ、当選した役に係る図柄の組み合わせが揃ったか否かの判定を行い、該判定の結果に応じて所定の利益を遊技者に付与する又は付与しないことで１回の遊技が終了する遊技機であって、
遊技回数を単位とし、かつ複数の遊技回数により構成される一定の周期（以下、「周期期間」とする。）に係る遊技回数をカウントする周期遊技回数カウント手段と、
予め定められた特定の演出を実行するか否かを決定する特定演出実行決定手段と、
特定演出実行決定手段により特定の演出を実行することが決定された場合にその旨を記憶するとともに、周期遊技回数カウント手段によるカウントに基づいて、周期期間ごとにその特定の演出を実行する旨の数を記憶する特定演出実行記憶手段と、
特定演出実行記憶手段により記憶されている一の周期期間における特定の演出を実行する旨の記憶数に基づいて、次回の周期期間中に、その記憶数分、特定の演出を実行する特定演出実行手段と、
一の周期期間中に、特定演出実行手段により規定回数の特定の演出が実行されることを条件として遊技者に所定の特典を付与する特典付与手段と、を備え、
一の周期期間においては、
特定演出実行手段により、特定演出実行記憶手段により記憶されている前回の周期期間における特定の演出を実行する旨の記憶数に基づいて、特定の演出が実行されるとともに、
特定演出実行決定手段により、特定の演出を実行するか否かが決定され、特定の演出を実行することが決定された場合には、特定演出実行記憶手段により、次回の周期期間のためにその旨が記憶されるように形成されていることを特徴とする遊技機。
【請求項２】
特定演出実行記憶手段により記憶されている現在の周期期間における特定の演出を実行する旨の記憶数に基づいて、特定演出実行手段により次回の周期期間中に特定の演出が実行される回数を示唆する次周期回数示唆演出を現在の周期期間中に実行可能に形成されていることを特徴とする請求項１記載の遊技機。
【請求項３】
特定演出実行記憶手段により記憶されている前回の周期期間における特定の演出を実行する旨の記憶数と、現在の周期期間において特定演出実行手段により特定の演出が実行された回数とに基づいて、現時点から現在の周期期間の終期までの間における特定演出実行手段により特定の演出が実行される回数を示唆する現周期回数示唆演出を実行可能に形成されていることを特徴とする請求項１又は２記載の遊技機。
【請求項４】
所定の契機により一の周期期間の遊技回数を決定する周期期間決定手段と、
特典付与手段により遊技者に所定の特典が付与されるための条件である特定の演出を実行する規定回数を、周期期間決定手段により決定された一の周期期間の遊技回数に応じて決定する規定回数決定手段とを備えることを特徴とする請求項１、２、又は３記載の遊技機。
【発明の詳細な説明】
【技術分野】
【０００１】
本発明は、遊技機に関し、更に詳しくは、所定の期間において特定の演出が規定回数実行されることにより遊技者に所定の特典を付与する遊技機に関する。
【背景技術】
【０００２】
従来、この種の遊技機、たとえばスロットマシンでは、メダルをベットすると遊技が開始可能となり、スタートスイッチを操作すると、複数の役のいずれかに当選か又はハズレかの抽選（役抽選）が行われるとともに、すべての回転リールの回転が開始する。そして、いずれかのストップスイッチを操作すると、当該ストップスイッチに対応した回転リールの回転が停止し、すべてのストップスイッチの操作を終えると、すべての回転リールの回転が停止する。このとき、いずれかの有効な入賞ライン上に、役抽選で当選した役に対応する図柄の組み合わせが揃うと、当該役に応じた利益が遊技者に付与されて、１回の遊技が終了する。
【０００３】
最近のスロットマシンでは、遊技が単調になることを防止するために様々な演出が実行される。また、このような演出では、役抽選の結果などの情報を遊技者に報知する場合もある。そして、このような報知演出は、一般に、役抽選により特定の役に当選した遊技において実行されるものであるが、特定の役に当選した場合に、当該遊技から所定の遊技回数が経過した後に実行される遊技機が知られている（特許文献１参照）。
【先行技術文献】
【特許文献】
【０００４】
【特許文献１】特開２００９−４５０８９号公報
【発明の概要】
【発明が解決しようとする課題】
【０００５】
しかしながら、特許文献１に開示された発明では、所定の報知演出が実行されることに対して、複数の遊技に渡り遊技者に継続して期待感を持たせることができるものの、必ずしも十分ではなかった。
そこで、本発明は、遊技の幅を広げることができ、複数の遊技に渡り遊技者に継続して期待感を持たせることができ、遊技機の稼働率を向上させることができる遊技機を提供することを目的とする。
【課題を解決するための手段】
【０００６】
各請求項に記載された発明は、上記した各目的を達成するためになされたものであり、本発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、周囲に複数の図柄が付された回転リール45と、回転リール45の回転を開始させるためのスタートスイッチ33と、回転リール45の回転を停止させるためのストップスイッチ34と、を備え、遊技媒体のベットにより遊技の開始を可能とし、スタートスイッチ33の操作を条件として回転リール45の回転を開始させ、複数の役のいずれかに当選か又はハズレかの役抽選を行い、該抽選の結果及びストップスイッチ34の操作に基づいて回転リール45の回転を適位置で停止させ、当選した役に係る図柄の組み合わせが揃ったか否かの判定を行い、該判定の結果に応じて所定の利益を遊技者に付与する又は付与しないことで１回の遊技が終了する遊技機であって、遊技回数を単位とし、かつ複数の遊技回数により構成される一定の周期（以下、「周期期間」とする。）に係る遊技回数をカウントする周期遊技回数カウント手段140と、予め定められた特定の演出を実行するか否かを決定する特定演出実行決定手段150と、特定演出実行決定手段150により特定の演出を実行することが決定された場合にその旨を記憶するとともに、周期遊技回数カウント手段140によるカウントに基づいて、周期期間ごとにその特定の演出を実行する旨の数を記憶する特定演出実行記憶手段160と、特定演出実行記憶手段160により記憶されている一の周期期間における特定の演出を実行する旨の記憶数により、次回の周期期間中に、その記憶数分、特定の演出を実行する特定演出実行手段200と、一の周期期間中に、特定演出実行手段200により規定回数の特定の演出が実行されることを条件として遊技者に所定の特典を付与する特典付与手段と、を備え、一の周期期間においては、特定演出実行手段200により、特定演出実行記憶手段160により記憶されている前回の周期期間における特定の演出を実行する旨の記憶数に基づいて、特定の演出が実行されるとともに、特定演出実行決定手段150により、特定の演出を実行するか否かが決定され、特定の演出を実行することが決定された場合には、特定演出実行記憶手段160により、次回の周期期間のためにその旨が記憶されるように形成されていることを特徴とする。
【０００７】
ここで、「周期遊技回数カウント手段」は、周期期間に係る遊技回数をカウントするものである。また、周期遊技回数カウント手段140によるカウントには、周期期間ごとに遊技回数をカウントするものも、複数の周期期間に渡って遊技回数をカウントするものも含まれる。
また、「所定の特典」としては、遊技媒体や、通常の遊技である通常遊技と、遊技者にとって通常遊技よりも有利な遊技である有利遊技とを備える遊技機にあっては、有利遊技への移行などが挙げられる。
すなわち本発明では、特定の演出を実行することを決定するとともに、その旨の数を周期期間ごとに記憶し、一の周期期間における特定の演出を実行する旨の記憶数に基づいて、次回の周期期間において、その記憶数分、特定の演出を実行し、特定の演出を規定回数実行することを条件として遊技者に所定の特典を付与する。具体的には、一の周期期間においては、前回の周期期間における特定の演出を実行する旨の記憶数に基づいて、特定の演出が実行されるとともに、特定の演出を実行することが決定された場合には、次回の周期期間のためにその旨が記憶される。
【０００８】
したがって、本発明によれば、所定の特典の付与に係る特定の演出が実行されることに対して、複数の遊技（詳細には、連続する二つの周期期間）に渡って遊技者に継続して期待感を持たせることができる。これにより、遊技者に遊技を続行する動機を持たせることができ、遊技機の稼働率を向上させることができる。
また、本発明によれば、周期期間に係る遊技回数、遊技者に所定の特典を付与するための条件である特定の演出を実行する規定回数、特定の演出を実行することを決定する契機、および特定の演出を実行することが決定される確率などに応じて、遊技性に幅を持たせることができ、遊技の幅を広げることができる。
【０００９】
（請求項２）
請求項２記載の発明は、上記請求項１記載の発明の特徴に加え、特定演出実行記憶手段160により記憶されている現在の周期期間における特定の演出を実行する旨の記憶数に基づいて、特定演出実行手段200により次回の周期期間中に特定の演出が実行される回数を示唆する次周期回数示唆演出を現在の周期期間中に実行可能に形成されていることを特徴とする。
すなわち本発明では、現在の周期期間における特定の演出を実行する旨の記憶数に基づいて、次回の周期期間中に特定の演出が実行される回数を示唆する次周期回数示唆演出を、現在の周期期間中に実行する。
【００１０】
したがって、本発明によれば、所定の特典の付与に係る特定の演出が実行されることに対して、次周期回数示唆演出が実行された後から次回の周期期間の終期までの間に渡って、さらに、遊技者に継続して期待感を持たせることができる。これにより、次回の周期期間の終期まで遊技を続行する動機を遊技者に強く持たせることができ、遊技機の稼働率をさらに向上させることができる。
（請求項３）
請求項３記載の発明は、上記請求項１又は２記載の発明の特徴に加え、特定演出実行記憶手段160により記憶されている前回の周期期間における特定の演出を実行する旨の記憶数と、現在の周期期間において特定演出実行手段200により特定の演出が実行された回数とに基づいて、現時点から現在の周期期間の終期までの間における特定演出実行手段200により特定の演出が実行される回数を示唆する現周期回数示唆演出を実行可能に形成されていることを特徴とする。
【００１１】
すなわち本発明では、前回の周期期間における特定の演出を実行する旨の記憶数と、現在の周期期間において特定の演出を実行した回数とに基づいて、現在の周期期間において特定の演出が残り何回実行されるかを示唆する現周期回数示唆演出を実行する。
したがって、本発明によれば、所定の特典の付与に係る特定の演出が実行されることに対して、現周期回数示唆演出が実行された後から現在の周期期間の終期までの間に渡って、さらに、遊技者に継続して期待感を持たせることができる。これにより、現在の周期期間の終期まで遊技を続行する動機を遊技者に強く持たせることができ、遊技機の稼働率をさらに向上させることができる。
【００１２】
（請求項４）
請求項４記載の発明は、上記請求項１、２、又は３記載の発明の特徴に加え、所定の契機により一の周期期間の遊技回数を決定する周期期間決定手段250と、特典付与手段により遊技者に所定の特典が付与されるための条件である特定の演出を実行する規定回数を、周期期間決定手段250により決定された一の周期期間の遊技回数に応じて決定する規定回数決定手段260とを備えることを特徴とする。
すなわち本発明では、所定の契機により、一の周期期間の遊技回数を決定するとともに、決定された一の周期期間の遊技回数に応じて、遊技者に所定の特典が付与されるための条件である特定の演出を実行する規定回数を決定する。言い換えれば、本発明では、所定の契機により、周期期間の遊技回数と、規定回数とを変更する。
【００１３】
したがって、本発明によれば、さらに、遊技性に幅を持たせることができ、遊技の幅を広げることができ、遊技の興趣を向上させることができる。
【発明の効果】
【００１４】
本発明は、以上のように構成されているので、以下に記載されるような効果を奏する。
（請求項１）
すなわち、請求項１記載の発明によれば、所定の特典の付与に係る特定の演出が実行されることに対して、複数の遊技に渡って遊技者に継続して期待感を持たせることができることにより、遊技者に遊技を続行する動機を持たせることができ、遊技機の稼働率を向上させることができるとともに、遊技の幅を広げることができる遊技機を提供することができる。
（請求項２）
すなわち、請求項２記載の発明によれば、上記請求項１記載の発明の効果に加え、所定の特典の付与に係る特定の演出が実行されることに対して、次周期回数示唆演出が実行された後から次回の周期期間の終期までの間に渡って、さらに、遊技者に継続して期待感を持たせることができることにより、次回の周期期間の終期まで遊技を続行する動機を遊技者に強く持たせることができ、遊技機の稼働率をさらに向上させることができる遊技機を提供することができる。
【００１５】
（請求項３）
すなわち、請求項３記載の発明によれば、上記請求項１又は２記載の発明の効果に加え、所定の特典の付与に係る特定の演出が実行されることに対して、現周期回数示唆演出が実行された後から現在の周期期間の終期までの間に渡って、さらに、遊技者に継続して期待感を持たせることができることにより、現在の周期期間の終期まで遊技を続行する動機を遊技者に強く持たせることができ、遊技機の稼働率をさらに向上させることができる遊技機を提供することができる。
（請求項４）
すなわち、請求項４記載の発明によれば、上記請求項１、２、又は３記載の発明の効果に加え、さらに、遊技性に幅を持たせることができ、遊技の幅を広げることができ、遊技の興趣を向上させることができる。
【図面の簡単な説明】
【００１６】
【図１】本発明の第１の実施の形態であって、遊技機の正面図である。
【図２】本発明の第１の実施の形態であって、各回転リールの図柄の配列を説明するための説明図である。
【図３】本発明の第１の実施の形態であって、遊技機のブロック図である。
【図４】本発明の第１の実施の形態であって、現周期回数示唆演出制御手段を示すブロック図である。
【図５】本発明の第１の実施の形態であって、次周期回数示唆演出制御手段を示すブロック図である。
【図６】本発明の第１の実施の形態であって、役を説明するための説明図である。
【図７】本発明の第１の実施の形態であって、実行パターンデータ記憶手段により記憶されている各実行パターンが選択される選択確率データを説明するための説明図である。
【図８】本発明の第１の実施の形態であって、抽選データ記憶手段に記憶されている演出Ａ−１または演出Ａ−２のいずれかの演出を選択する選択抽選の選択確率データを説明するための説明図である。
【図９】本発明の実施の形態であって、抽選データ記憶手段に記憶されている演出Ｂ−１または演出Ｂ−２のいずれかの演出を選択する選択抽選の選択確率データを説明するための説明図である。
【図１０】本発明の第１の実施の形態であって、遊技機の動作の概略を示すフローチャートである。
【図１１】本発明の第１の実施の形態であって、遊技機の動作の概略を示すフローチャートである。
【図１２】本発明の第１の実施の形態であって、ＡＴ報知処理を示すフローチャートである。
【図１３】本発明の第１の実施の形態であって、特定演出実行決定処理を示すフローチャートである。
【図１４】本発明の第１の実施の形態であって、特定演出実行処理を示すフローチャートである。
【図１５】本発明の第１の実施の形態であって、現周期回数示唆演出実行処理を示すフローチャートである。
【図１６】本発明の第１の実施の形態であって、次周期回数示唆演出実行処理を示すフローチャートである。
【図１７】本発明の第２の実施の形態であって、遊技機のブロック図である。
【図１８】本発明の第２の実施の形態であって、特定演出実行手段を示すブロック図である。
【図１９】本発明の第２の実施の形態であって、抽選データ記憶手段に記憶されている演出Ａ−１または演出Ａ−２のいずれかの演出を選択する選択抽選の選択確率データを説明するための説明図である。
【図２０】本発明の第２の実施の形態であって、特別遊技における難易度報知演出を説明するための説明図である。
【図２１】本発明の第２の実施の形態であって、遊技機の動作の概略を示すフローチャートである。
【図２２】本発明の第２の実施の形態であって、遊技機の動作の概略を示すフローチャートである。
【図２３】本発明の第２の実施の形態であって、特定演出実行処理を示すフローチャートである。
【発明を実施するための形態】
【００１７】
（第１の実施の形態）
本発明の第１の実施の形態を、図１〜図１６に基づいて説明する。
以下、「前面」とは、遊技機において遊技を行う際に遊技者が向き合う面をいい、「右側」とは、遊技機の前面に向き合って遊技を行う遊技者から見て右側をいい、「左側」とは、遊技機の前面に向き合って遊技を行う遊技者から見て左側をいう。
（遊技機）
図１に概略を示すように、遊技機としてのスロットマシン10は、前面に開口部を有する箱型の筐体11を備え、筐体11の前面には、開口部を塞ぐ前扉12を備え、筐体11の内部には、３個の回転リール45を横並びに配置したリールユニット40や、スロットマシン10を制御するための制御装置20や、メダルを払い出すためのホッパーユニットや、スロットマシン10が備える各装置に電力を供給するための電源ユニットなどを備えている。
【００１８】
また、３個の回転リール45のうち、左側に位置するのが左リール46であり、中央に位置するのが中リール47であり、右側に位置するのが右リール48である。
また、前扉12の上部には、上パネル13を備え、前扉12の下部には、下パネル14を備え、前扉12の前面における、上パネル13と下パネル14との間には、前方へ向けて突出する操作部16を備えている。
また、上パネル13のほぼ中央には、各回転リール45の周囲に付されている図柄を遊技者に見せるための図柄表示窓15が設けられている。この図柄表示窓15は、３個すべての回転リール45の回転が停止した際には、縦３列横３行に配置した合計９個の図柄を遊技者に見せるように形成されている。
【００１９】
また、入賞ラインとして、上段の３個の図柄を通る上段入賞ラインと、中段の３個の図柄を通る中段入賞ラインと、下段の３個の図柄を通る下段入賞ラインと、左下・中央・右上の３個の図柄を通る右上り入賞ラインと、左上・中央・右下の３個の図柄を通る右下り入賞ラインとが設けられている。
また、上パネル13における、図柄表示窓15の上方に相当する位置には、画像を表示する表示装置55が設けられている。また、上パネル13の周囲縁には、演出用ランプ17が設けられている。
また、操作部16の上面右側には、遊技媒体としてのメダルを投入するためのメダル投入口36が設けられ、操作部16の上面左側には、スロットマシン10に電子的に貯留（クレジット）されているメダルをベットするためのベットスイッチ32が設けられ、操作部16の上面左端付近には、クレジットされているメダルを返却するための精算スイッチ35が設けられ、操作部16の前面左側には、回転リール45の回転を開始させるためのスタートスイッチ33が設けられ、操作部16の前面中央には、回転リール45の回転を停止させるためのものであって各回転リール45にそれぞれ対応している３個のストップスイッチ34が横並びに設けられている。
【００２０】
また、前扉12の下部中央には、メダルを払い出すためのメダル払出口37が設けられ、メダル払出口37の下方には、メダル払出口37から払い出されたメダルを受け止めて貯留するためのメダル受け皿38が設けられている。また、前扉12には、図示しないスピーカが設けられている。
（リールユニット40）
リールユニット40は、横並びに設けた３個の回転リール45と、各回転リール45を回転させるためのものであって各回転リール45にそれぞれ対応しているステッピングモータと、これらを支持するためのフレームとを備えている。
【００２１】
また、各回転リール45の周囲には、複数種類の図柄が所定の配列で合計２１個付されている。具体的には、各回転リール45（46,47,48）の周囲には、図２に示すように、「赤７Ａ」、「赤７Ｂ」、「青７」、「ＢＡＲ」、「リプレイ」、「プラム」、「ベル」及び「チェリー」の図柄が付されている。なお、各回転リール45（46,47,48）の周囲に付される図柄の配列としては、図２に示すような配列に限定されるものではない。
また、各ステッピングモータの出力軸には、対応する回転リール45がそれぞれ固定されている。具体的には、左側のステッピングモータの出力軸には、左リール46が固定され、中央のステッピングモータの出力軸には、中リール47が固定され、右側のステッピングモータの出力軸には、右リール48が固定されている。
【００２２】
また、ステッピングモータは、パルス信号によって駆動するものであって、入力されるパルス信号のパターンによって、加速・定速・減速のパターンが決まる。そして、ステッピングモータが駆動すると、対応する回転リール45が回転軸を中心に回転する。
また、各回転リール45には、インデックスセンサにより検知されるインデックスが設けられており、インデックスが検知されてからのステッピングモータのパルス数により回転リール45の回転位置を特定できるようになっている。
（制御装置20）
制御装置20は、図３に示すように、主として遊技を制御する遊技制御装置21と、遊技制御装置21からの信号を受信して、主として遊技の演出を制御する演出制御装置22とを備えている。
【００２３】
遊技制御装置21は、メイン基板などとも呼ばれるものであって、ＣＰＵ、ＲＡＭ、ＲＯＭ、およびＩ／Ｏなどを備えたマイクロコンピュータを用いて構成されている。ＣＰＵがＲＯＭに記憶された所定のプログラムを実行することにより、遊技制御装置21を構成するマイクロコンピュータが、遊技制御手段60、役抽選手段100、回転制御手段110、停止制御手段120、及び停止図柄判定手段130などとして機能する。遊技制御装置21の入力手段としては、ベットスイッチ32、スタートスイッチ33、ストップスイッチ34、精算スイッチ35、及びリールユニット40の各回転リール45のインデックスセンサなどが接続され、遊技制御装置21の出力手段としては、リールユニット40のステッピングモータや、ホッパーユニットなどが接続されている。
【００２４】
また、演出制御装置22は、サブ基板などとも呼ばれるものであって、遊技制御装置21と同様に、ＣＰＵ、ＲＡＭ、ＲＯＭ、およびＩ／Ｏなどを備えたマイクロコンピュータを用いて構成されている。ＣＰＵがＲＯＭに記憶された所定のプログラムを実行することにより、演出制御装置22を構成するマイクロコンピュータが、周期遊技回数カウント手段140、特定演出実行決定手段150、特定演出実行記憶手段160、有利遊技制御手段170、有利遊技移行決定手段180、特定演出実行パターン決定手段190、特定演出実行手段200、現周期回数示唆演出制御手段210、次周期回数示唆演出制御手段220、カウント値判定手段230、及び通常演出制御手段240などとして機能する。演出制御装置22の入力手段としては、遊技制御装置21が接続され、演出制御装置22の出力手段としては、表示装置55や、演出用ランプ17や、図示しないスピーカなどが接続されている。
【００２５】
また、遊技制御装置21と演出制御装置22との間における信号の送受信は、遊技制御装置21における役抽選に関するデータ等の内部データの信頼性を担保すべく、一方通行となるように形成されている。すなわち、遊技制御装置21から演出制御装置22に向かってのみ信号が出力され、演出制御装置22から遊技制御装置21に向かっていかなる信号も出力されないように形成されている。
（遊技制御手段60）
遊技制御手段60は、一般的な遊技である通常遊技を制御する通常遊技制御手段70と、遊技者にとって通常遊技よりも有利な遊技である特別遊技を制御する特別遊技制御手段80とを備えている。
【００２６】
（通常遊技制御手段70）
通常遊技制御手段70は、通常の遊技である通常遊技を制御するものである。
以下、スロットマシン10における通常遊技について説明する。
１回の遊技につき、遊技媒体としてのメダルを３枚ベットすることが可能である。３枚のメダルをベットすると、５本全ての入賞ラインが有効になる。有効になった入賞ラインを、以下、「有効入賞ライン」と称する。また、メダルのベットには、メダル投入口36からメダルを投入することによるベットと、ベットスイッチ32を操作することによるクレジットされているメダルのベットとがある。また、再遊技のときには、前回の遊技でベットした枚数と同数のメダルが自動的にベットされる。また、３枚のメダルのベットを条件に、遊技を開始することが可能となり、スタートスイッチ33を操作すると、複数の役のいずれかに当選か又はハズレかの役抽選が行われるとともに、３個すべての回転リール45の回転が開始する。その後、３個すべての回転リール45の回転が所定の定常速度になって定常回転するようになると、３個すべてのストップスイッチ34の操作が有効になる。そして、３個のストップスイッチ34のうちの１個を操作すると、当該ストップスイッチ34に対応した回転リール45の回転が停止する。そして、３個すべてのストップスイッチ34の操作を終えると、３個すべての回転リール45の回転が停止する。このとき、いずれかの有効入賞ライン上に、役抽選により当選した役に対応する図柄の組み合わせが有効入賞ライン上に停止表示されると、当該役に応じた枚数のメダルを獲得できることがある。また、獲得したメダルは、クレジットされ、クレジット数が上限値に達したときには、ホッパーユニットが駆動して、上限値を超えた分がメダル払出口37から払い出される。また、メダルの獲得に代えて、あるいはメダルの獲得とともに、遊技者に対して所定の利益が付与されることもある。
【００２７】
ここで、役には、有効入賞ライン上に所定の図柄の組み合わせが停止表示されることにより、メダルが払い出される小役と、有効入賞ライン上に所定の図柄の組み合わせが停止表示されることにより、メダルの払い出しはないがメダルを新たに投入することなく前回の遊技と同じ条件で再度遊技を行うことができる再遊技役と、有効入賞ライン上に所定の図柄の組み合わせが停止表示されることにより、メダルの払い出しはないが特別遊技へ移行するボーナス役とがある。
具体的には、図６に示すように、小役には、プラム役と、赤７プラム役と、青７プラム役と、ＢＡＲプラム役と、ベル役と、チェリー役とがある。たとえば、プラム役、赤７プラム役、青７プラム役、ＢＡＲプラム役、ベル役、及びチェリー役のうち赤７プラム役は、（「赤７Ａ」又は「赤７Ｂ」）「プラム」「プラム」の図柄の組み合わせにより構成され、また、たとえば、チェリー役は、「チェリー」「ＡＮＹ」「ＡＮＹ」（「ＡＮＹ」は、いずれの図柄であってもよいことを意味する。）の図柄の組み合わせにより構成される。そして、役を構成する図柄の組み合わせがいずれかの有効入賞ライン上に停止表示されることにより、当該役に応じた所定枚数のメダルが払い出される。たとえば、「ベル」「ベル」「ベル」の図柄の組み合わせがいずれかの有効入賞ライン上に停止表示されることにより、ベル役に応じた所定枚数（たとえば５枚）のメダルが払い出される。
【００２８】
また、再遊技役は、図６に示すように、「リプレイ」「リプレイ」「リプレイ」の図柄の組み合わせにより構成される。そして、いずれかの有効入賞ライン上にこの図柄の組み合わせが停止表示されることにより、メダルを新たに投入することなく前回の遊技と同じ条件で再度遊技を行うことができる。
また、図６に示すように、ボーナス役には、赤７ＢＢ１役と、青７ＢＢ１役と、ＢＢ２役と、ＲＢ役とがある。赤７ＢＢ１役は、「赤７Ａ」「赤７Ａ」「赤７Ａ」の図柄の組み合わせにより構成される。そして、有効入賞ライン上にこの図柄の組み合わせが停止表示されることにより、後述するビッグボーナス１ゲームへ移行する。また、青７ＢＢ１役は、「青７」「青７」「青７」の図柄の組み合わせにより構成される。そして、有効入賞ライン上にこの図柄の組み合わせが停止表示されることにより、後述するビッグボーナス１ゲームへ移行する。また、ＢＢ２役は、「赤７Ａ」「赤７Ａ」「赤７Ｂ」の図柄の組み合わせにより構成される。そして、有効入賞ライン上にこの図柄の組み合わせが停止表示されることにより、後述するビッグボーナス２ゲームへ移行する。また、ＲＢ役は、「青７」「青７」「赤７Ａ」の図柄の組み合わせにより構成される。そして、有効入賞ライン上にこの図柄の組み合わせが停止表示されることにより、後述するレギュラーボーナスゲームへ移行する。
【００２９】
なお、本実施の形態では、ボーナス役は、メダルの払い出しを行うことなく、特別遊技へ移行するようになっているが、所定枚数（たとえば１５枚）のメダルを払い出した後に、特別遊技へ移行するように設定してもよい。
（特別遊技制御手段80）
特別遊技とは、遊技者にとって通常遊技よりも有利な遊技をいい、特別遊技制御手段80は、特別遊技を制御するものである。
特別遊技としては、ビッグボーナス１ゲーム（ＢＢ１ゲーム）と、ビッグボーナス２ゲーム（ＢＢ２ゲーム）と、レギュラーボーナスゲーム（ＲＢゲーム）とがある。ＢＢ１ゲームとは、所定の役の当選確率が通常遊技よりも高い遊技を複数回実行可能な遊技であって、所定枚数（たとえば３６９枚）のメダルの払い出しにより終了する遊技である。また、ＢＢ２ゲームとは、ＢＢ１ゲームと同じく、所定の役の当選確率が通常遊技よりも高い遊技を複数回実行可能な遊技であって、ＢＢ１ゲームよりも少ない所定枚数（たとえば２９７枚）のメダルの払い出しにより終了する遊技である。また、ＲＢゲームとは、ＢＢ１ゲームと同じく、所定の役の当選確率が通常遊技よりも高い遊技を複数回実行可能な遊技であって、ＢＢ２ゲームよりも少ない所定枚数（たとえば９９枚）のメダルの払い出しにより終了する遊技である。
【００３０】
また、本実施の形態では、特別遊技制御手段80は、特別遊技（ＢＢ１ゲーム、ＢＢ２ゲーム及びＲＢゲーム）中のメダルの払い出し枚数をカウントする払出枚数カウンタを有している。
具体的には、通常遊技または後述する有利遊技において、役抽選により赤７ＢＢ１役又は青７ＢＢ１役に当選すると、いずれかの有効入賞ライン上に、赤７ＢＢ１役に対応する「赤７Ａ」「赤７Ａ」「赤７Ａ」又は青７ＢＢ１役に対応する「青７」「青７」「青７」の図柄の組み合わせが当選した役に応じて揃い得るようになり、「赤７Ａ」「赤７Ａ」「赤７Ａ」又は「青７」「青７」「青７」の図柄の組み合わせが揃い、停止表示されると、ＢＢ１ゲームへ移行する。
【００３１】
ＢＢ１ゲームへ移行すると、役抽選で所定の役に当選する確率が通常遊技中よりも高くなるとともに、２枚のメダルのベットにより遊技が開始可能となり、有効入賞ラインが中段ラインのみとなる。そして、有効入賞ライン（中段ライン）上に、当選した役に対応する図柄の組み合わせが停止表示されると、当該役に応じた所定枚数のメダルが払い出されるとともに、払出枚数カウンタにより払い出されたメダルの枚数がカウントされる。
そして、ＢＢ１ゲーム中のメダルの累計払い出し枚数が所定枚数（例えば３６９枚）に達すると、ＢＢ１ゲームは終了して、通常遊技または有利遊技へ移行する。
また、通常遊技または後述する有利遊技において、役抽選によりＢＢ２役に当選すると、いずれかの有効入賞ライン上に、ＢＢ２役に対応する「赤７Ａ」「赤７Ａ」「赤７Ｂ」の図柄の組み合わせが揃い得るようになり、「赤７Ａ」「赤７Ａ」「赤７Ｂ」の図柄の組み合わせが揃い、停止表示されると、ＢＢ２ゲームへ移行する。
【００３２】
ＢＢ２ゲームへ移行すると、役抽選で所定の役に当選する確率が通常遊技中よりも高くなるとともに、２枚のメダルのベットにより遊技が開始可能となり、有効入賞ラインが中段ラインのみとなる。そして、有効入賞ライン（中段ライン）上に、当選した役に対応する図柄の組み合わせが停止表示されると、当該役に応じた所定枚数のメダルが払い出されるとともに、払出枚数カウンタにより払い出されたメダルの枚数がカウントされる。
そして、ＢＢ２ゲーム中のメダルの累計払い出し枚数が所定枚数（例えば２９７枚）に達すると、ＢＢ２ゲームは終了して、通常遊技または後述する有利遊技へ移行する。
また、通常遊技または後述する有利遊技において、役抽選によりＲＢ役に当選すると、いずれかの有効入賞ライン上に、ＲＢ役に対応する「青７」「青７」「赤７Ａ」の図柄の組み合わせが揃い得るようになり、「青７」「青７」「赤７Ａ」の図柄の組み合わせが揃い、停止表示されると、ＲＢゲームへ移行する。
【００３３】
ＲＢゲームへ移行すると、ＢＢ１ゲームと同様の遊技が行われる。そして、有効入賞ライン（中段ライン）上に、当選した役に対応する図柄の組み合わせが停止表示されると、当該役に応じた所定枚数のメダルが払い出されるとともに、払出枚数カウンタにより払い出されたメダルの枚数がカウントされる。
そして、ＲＢゲーム中のメダルの累計払い出し枚数が所定枚数（例えば９９枚）に達すると、ＲＢゲームは終了して、通常遊技または有利遊技へ移行する。
なお、本実施の形態では、特別遊技（ＢＢ１ゲーム、ＢＢ２ゲーム及びＲＢゲーム）は、所定枚数のメダルの払い出しにより終了するものであるが、特別遊技の終了条件としては他の条件（たとえば遊技回数）を設定することもできる。
【００３４】
また、払出枚数カウンタによるカウントは、カウントアップによる方法でもカウントダウンによる方法でもよい。
（役抽選手段100）
役抽選手段100は、スタートスイッチ33の操作を契機に、複数の役のいずれかに当選か又はハズレかの役抽選を行うものである。役抽選手段100は、乱数発生手段と、乱数抽出手段と、役抽選テーブルと、判定手段とを備えている。
乱数発生手段は、役抽選用の乱数を、所定の範囲内（例えば、１０進数で０〜６５５３５）で発生させるものである。また、乱数抽出手段は、乱数発生手段が発生させた乱数を、所定の契機（たとえば、スタートスイッチ33の操作）で抽出するものである。なお、乱数発生手段は、カウンタ回路などによって構成されるため、乱数発生手段が発生させる数値は、厳密には乱数ではない。ただ、スタートスイッチ33が操作されるタイミングは、ランダムであると考えられるため、乱数抽出手段が抽出する数値は、実質的には乱数として取り扱うことができる。
【００３５】
また、役抽選テーブルは、乱数発生手段が発生させる範囲内の各乱数について、複数の役のいずれかに当選か又はハズレかをあらかじめ定めたものである。本実施の形態では、役抽選テーブルには、通常遊技および後述する有利遊技において用いられる一般役抽選テーブルと、ＢＢ１ゲーム、ＢＢ２ゲーム、およびＲＢゲームにおいて用いられる特別役抽選テーブルとがある。各役抽選テーブルには、当選の領域と、ハズレの領域とが設定されている。なお、当選の領域としては、１つの役にのみ当選する単独当選領域の他に、複数の役に同時に当選する重複当選領域を設定することができる。
たとえば、特別役抽選テーブルには、プラム役と赤７プラム役と青７プラム役とＢＡＲプラム役とベル役とチェリー役の重複当選領域（以下、この重複当選領域に係る複数の役を、「重複小役」と称す。）が設定されている。なお、重複当選領域における複数の役の組み合わせについては、これに限られるものではない。
【００３６】
また、判定手段は、乱数抽出手段が抽出した乱数と、役抽選テーブルとを照合して、複数の役のいずれかに当選か又はハズレかの判定を行うものである。具体的には、判定手段は、複数の役のいずれかに当選か又はハズレかの判定を行う際に、その時点における遊技状態に対応する役抽選テーブルを適宜用いて、当該判定を行うものとなっている。
そして、役抽選手段100による役抽選で、いずれかの役に当選すると、当選した役に対応する当選フラグが成立する。なお、役抽選手段100による役抽選で、複数の役に重複当選した場合には、当選した複数の役それぞれに対応する当選フラグが成立する。そして、このフラグの成立中に、いずれかの有効入賞ライン上に、役抽選で当選した役に対応する図柄の組み合わせが停止表示されると、遊技者に対して、メダルの払い出しや、特別遊技等の利益が付与される。
【００３７】
ここで、当選フラグには、役抽選手段100による抽選結果が、小役の当選である場合に成立する小役当選フラグ（プラム当選フラグ、赤７プラム当選フラグ、青７プラム当選フラグ、ＢＡＲプラム当選フラグ、ベル当選フラグ、及びチェリー当選フラグ）と、役抽選手段100による抽選結果が、再遊技役の当選である場合に成立する再遊技当選フラグと、役抽選手段100による抽選結果が、ボーナス役の当選である場合に成立するボーナス当選フラグ（赤７ＢＢ１当選フラグ、青７ＢＢ１当選フラグ、ＢＢ２当選フラグ及びＲＢ当選フラグ）とがある。
そして、小役当選フラグ、及び再遊技当選フラグは、成立した遊技においてのみ有効となるものの、ボーナス当選フラグは、次の遊技へ持ち越すことができるものとなっており、当選したボーナス役に対応する図柄の組み合わせがいずれかの有効入賞ライン上に停止表示されることにより消去されるものとなっている。
【００３８】
（回転制御手段110）
回転制御手段110は、スタートスイッチ33の操作を契機に、３個すべての回転リール45の回転を開始させるとともに、３個すべての回転リール45の回転駆動を制御するものである。
具体的には、回転制御手段110は、スタートスイッチ33の操作を契機に、３個すべての回転リール45の回転を開始させて、その回転速度が所定の定常速度に達するまで加速処理を行う。そして、回転制御手段110は、回転リール45の回転速度が所定の定常速度に達したときには、回転リール45を所定の定常速度で定速回転させる定速処理を行う。
【００３９】
（停止制御手段120）
停止制御手段120は、役抽選手段100の抽選結果と、各ストップスイッチ34が操作された際における対応する回転リール45の回転位置とに基づいて、各回転リール45の回転を適位置で停止させるものである。
具体的には、停止制御手段120は、各ストップスイッチ34が操作された際における対応する回転リール45の回転位置を、対応するインデックスが検知されてから対応するストップスイッチ34が操作されるまでの間における対応するステッピングモータのステップ数で特定しつつ、ストップスイッチ34が操作された時点で、有効入賞ライン上に直ちに停止できる図柄（すなわち、回転リール45の回転位置）を基準として、この図柄から回転方向に予め定められた個数（最大スベリコマ数、たとえば４コマ）移動した図柄までの範囲内で、対応する回転リール45を停止させるように形成されている。
【００４０】
そして、停止制御手段120は、役抽選手段100の抽選結果がいずれかの役に当選の場合には、各回転リール45の回転を停止させるに際し、当選した役に対応する図柄の組み合わせが、いずれかの有効入賞ライン上に極力揃うように、かつ、当選した役以外の役に対応する図柄の組み合わせについては、いずれの有効入賞ライン上にも揃わないように、引き込み制御及び蹴飛ばし制御を行い、一方、役抽選手段100の抽選結果がハズレの場合には、各回転リール45の回転を停止させるに際し、いずれの有効入賞ライン上にも、いずれの役に対応する図柄の組み合わせも揃わないように、蹴飛ばし制御を行う。
また、本実施の形態では、複数の当選フラグが成立している場合があり、このような場合に、停止制御手段120は、引き込み制御において、当選した複数の役のうちいずれの役を優先して引き込むかを予め設定している。具体的には、停止制御手段120は、引き込み優先順位を、「再遊技役」＞「小役」＞「ボーナス役」に設定している。なお、引き込み優先順位は、これに限られるものではない。
【００４１】
またさらに、本実施の形態では、上述の如く、特別遊技（ＢＢ１ゲーム、ＢＢ２ゲーム、およびＲＢゲーム）中においては、重複小役に当選、すなわち全ての小役に重複当選する場合があり、このような場合に、停止制御手段120は、引き込み制御において、当選した複数の小役のうちいずれの役を優先して引き込むかを予め設定している。具体的には、停止制御手段120は、小役の引き込み優先順位を、「赤７プラム役」＞「青７プラム役」＞「ＢＡＲプラム役」＞「プラム役」＞「ベル役」＞「チェリー役」に設定している。なお、小役の引き込み優先順位は、これに限られるものではない。
また、本実施の形態では、停止制御手段120は、図柄の停止位置を予め定めた停止テーブルを備え、上記した引き込み制御及び蹴飛ばし制御を、この停止テーブルを用いて行う。
【００４２】
具体的には、停止制御手段120は、１つのフラグ状態ごとに１つの停止テーブルを備えている。ここで、フラグ状態とは、たとえばプラム当選フラグが成立している状態や、ベルフラグと赤７ＢＢ１当選フラグが成立している状態などである。
なお、停止制御手段120は、１つのフラグ状態および遊技状態ごとに、１つの停止テーブルを備えるようにしてもよい。なお、ここで、遊技状態とは、通常遊技であって、ボーナス当選フラグが成立している内部当選状態や、通常遊技であって、ボーナス当選フラグが成立していない内部非当選状態や、ＢＢ１ゲームや、ＢＢ２ゲームや、ＲＢゲームなどである。
【００４３】
また、停止制御手段120は、引き込み制御及び蹴飛ばし制御を、所定の図柄を停止させるか否かを判断しながら制御を行うプログラム制御により行うようにしてもよい。
（停止図柄判定手段130）
停止図柄判定手段130は、すべての回転リール45の回転が停止した際に、いずれかの役に対応する図柄の組み合わせがいずれかの有効入賞ライン上に停止表示されているか否かを判定し、この判定結果に基づいた制御を行うものである。すなわち、所定の役を構成する図柄の組み合わせが停止表示された場合に、この停止表示された役に応じた制御信号を出力するように形成されている。
【００４４】
具体的には、停止図柄判定手段130は、各制御手段に制御信号を出力する。そして、たとえば、小役に係る制御信号が入力された遊技制御手段60は、ホッパーユニットを作動させて所定枚数のメダルを払い出すように制御する。また、たとえば、再遊技役に係る制御信号が入力された遊技制御手段60は、再度の遊技の制御を行う。また、たとえば、ボーナス役に係る制御信号が入力された特別遊技制御手段80は、特別遊技を開始する。
（周期遊技回数カウント手段140）
周期遊技回数カウント手段140は、遊技回数を単位とし、かつ複数の遊技回数により構成される一定の周期（以下、「周期期間」とする。）に係る遊技回数をカウントするものである。本実施の形態では、周期遊技回数カウント手段140は、図３に示すように、周期遊技回数カウンタ141と、周期遊技回数カウンタ制御手段142とを備えている。
【００４５】
周期遊技回数カウンタ141は、ボーナス当選フラグを持ち越していない状態の通常遊技（以下、「通常遊技（非内部中）」と称する。）の遊技回数をカウントするものである。すなわち、本実施の形態では、周期遊技回数カウンタ141は、ボーナスフラグを持ち越している状態の通常遊技においては、遊技回数をカウントしない。また、本実施の形態では、周期遊技回数カウンタ141は、初期値として、「０」が設定されている。
また、周期遊技回数カウンタ制御手段142は、周期遊技回数カウンタ141を制御するものである。また、本実施の形態では、周期遊技回数カウンタ制御手段142は、通常遊技（非内部中）において、遊技を行う度に、周期遊技回数カウンタ141のカウント値に「１」を加算する。具体的には、周期遊技回数カウンタ制御手段142は、通常遊技（非内部中）において、スタートスイッチ33の操作を契機に、周期遊技回数カウンタ141のカウント値に「１」を加算する。
【００４６】
また、本実施の形態では、周期遊技回数カウンタ制御手段142は、周期遊技回数カウンタ141のカウント値が「１００」になった場合、すなわち一の周期期間が終了した場合に、周期遊技回数カウンタ141のカウント値を「０」にリセットする。すなわち、本実施の形態では、一の周期期間に係る遊技回数は、１００回に設定されている。
また、本実施の形態では、周期遊技回数カウンタ制御手段142は、役抽選によりボーナス役に当選したことを契機に、周期遊技回数カウンタ141のカウント値を「０」にリセットする。すなわち、本実施の形態では、役抽選によりボーナス役に当選することがで、周期期間に係る遊技回数のカウントがリセットされる。そして、この当選したボーナス役に係る特別遊技が終了した後に、通常遊技（非内部中）において、周期期間に係る遊技回数のカウントが開始される。
【００４７】
なお、本実施の形態では、一の周期期間に係る遊技回数のカウントの方法は、カウントアップによる方法であるが、カウントダウンによる方法でもよい。たとえば、周期遊技回数カウンタ141の初期値を、「１００」に設定し、周期遊技回数カウンタ制御手段142は、通常遊技（非内部中）において、遊技を行う度に、周期遊技回数カウンタ141のカウント値を「１」減算する。そして、周期遊技回数カウンタ制御手段142は、周期遊技回数カウンタ141のカウント値が「０」になった場合に、周期遊技回数カウンタ141のカウント値を「１００」にリセットする。また、周期遊技回数カウンタ制御手段142は、役抽選によりボーナス役に当選したことを契機に、周期遊技回数カウンタ141のカウント値を「１００」にリセットする。
【００４８】
（特定演出実行決定手段150）
特定演出実行決定手段150は、予め定められた特定の演出を実行するか否かを決定するものである。
本実施の形態では、特定の演出は、表示装置55に表示する特定の画像、スピーカから発する特定の音、および演出用ランプ17の特定の点滅のパターンにより構成されている。
なお、特定の演出としては、これに限られるものではなく、たとえば、表示装置55に表示する画像、スピーカから発する音、および演出用ランプ17の点灯・消灯・点滅の一または複数の組み合わせにより構成することができる。
【００４９】
また、本実施の形態では、特定演出実行決定手段150は、役抽選により、ベル役またはチェリー役に当選したときに、特定の演出を実行するか否かを抽選により決定する。
なお、この抽選の抽選確率は、ベル役に当選したときと、チェリー役に当選したときとで異なるようにしてもよいし、同一としてもよい。また、この抽選の抽選確率は、スロットマシン10における、出玉率を定めた複数段階の設定に応じて異なるようにしてもよい。
（特定演出実行記憶手段160）
特定演出実行記憶手段160は、特定演出実行決定手段150により特定の演出を実行することが決定された場合にその旨を記憶するとともに、周期遊技回数カウント手段140によるカウントに基づいて、周期期間ごとにその特定の演出を実行する旨の数を記憶するものである。
【００５０】
本実施の形態では、特定演出実行記憶手段160は、図３に示すように、実行決定回数カウンタ161と、実行決定回数カウンタ制御手段162と、周期期間実行決定回数記憶手段163とを備えている。
（実行決定回数カウンタ161）
実行決定回数カウンタ161は、特定演出実行決定手段150により、特定の演出を実行することが決定された回数をカウントするものである。また、本実施の形態では、実行決定回数カウンタ161は、初期値として、「０」が設定されている。
（実行決定回数カウンタ制御手段162）
実行決定回数カウンタ制御手段162は、実行決定回数カウンタ161を制御するものである。また、本実施の形態では、実行決定回数カウンタ制御手段162は、特定演出実行決定手段150により、特定の演出を実行することが決定された場合に、実行決定回数カウンタ161のカウント値に「１」を加算する。
【００５１】
また、本実施の形態では、実行決定回数カウンタ制御手段162は、周期遊技回数カウンタ141のカウント値が「１００」になった場合、すなわち一の周期期間が終了した場合に、後述する周期期間実行決定回数記憶手段163により、実行決定回数カウンタ161のカウント値が所定の記憶領域に記憶された後に、実行決定回数カウンタ161のカウント値を「０」にリセットする。
また、本実施の形態では、実行決定回数カウンタ制御手段162は、役抽選によりボーナス役に当選した場合に、実行決定回数カウンタ161のカウント値を「０」にリセットする。
【００５２】
（周期期間実行決定回数記憶手段163）
周期期間実行決定回数記憶手段163は、特定演出実行決定手段150により、特定の演出を実行することが決定された回数を、周期期間ごとに記憶するものである。
本実施の形態では、周期期間実行決定回数記憶手段163は、周期遊技回数カウンタ141のカウント値が「１００」になった場合、すなわち一の周期期間が終了した場合に、実行決定回数カウンタ161のカウント値を、演出制御装置22のＲＡＭにおける所定の記憶領域に記憶する。これにより、特定の演出を実行することが決定された回数が、周期期間ごとに記憶される。
【００５３】
また、本実施の形態では、周期期間実行決定回数記憶手段163は、演出制御装置22のＲＡＭにおける所定の記憶領域に記憶されている値が「６」以上の場合には、演出制御装置22のＲＡＭにおける所定の記憶領域に記憶されている値を「５」に変更する。
すなわち、本実施の形態では、一の周期期間において、特定の演出を実行することが６回以上決定された場合でも、次回の周期期間において、特定の演出が実行される回数は５回となっている。換言すれば、本実施の形態では、一の周期期間においては、特定の演出が実行される回数は最大で５回となっている。
（有利遊技制御手段170）
有利遊技制御手段170は、遊技者にとって通常遊技よりも有利な遊技であって、特別遊技とは異なる遊技である有利遊技を制御するものである。本実施の形態では、有利遊技制御手段170は、有利遊技として、表示装置55に、役抽選手段100による役抽選の結果を示唆する情報を表示させることにより、当選した小役を遊技者に対して告知する、という態様の遊技を行う。このような態様の特殊遊技は、アシストタイム（ＡＴ）などと呼ばれるものである。遊技者は、表示装置55に表示された情報を見て、当選した小役に対応する図柄の組み合わせがいずれかの有効入賞ライン上に停止するようタイミングを図ってストップスイッチ34を操作することにより、告知がない場合と比較してより多くの小役に対応する図柄の組み合わせを有効入賞ライン上に停止表示させることができ、ひいてはより多くの枚数のメダルを獲得することができる。これにより、有利遊技としてのアシストタイム（ＡＴ）は、遊技者にとって通常遊技よりも有利な遊技となっている。特に本実施の形態では、当選した赤７プラム役、及び青７プラム役を遊技者に対して告知することにより、ＡＴは、遊技者にとって通常遊技よりも有利な遊技となっている。
【００５４】
また、本実施の形態では、有利遊技制御手段170は、有利遊技としてのＡＴを、後述する有利遊技移行決定手段180により決定された遊技回数実行する。
また、本実施の形態では、有利遊技制御手段170は、後述する有利遊技移行決定手段180により有利遊技へ移行することが決定されている場合であって、ボーナス当選フラグが成立していない場合に、演出制御装置22のＲＡＭにおける所定の記憶領域に記憶されている値が「０」になったときに、その後の１回目（最初）の遊技から、有利遊技としてのＡＴを開始する。そして、有利遊技制御手段170は、後述する有利遊技移行決定手段180により決定された回数の遊技を実行したことを契機に、ＡＴを終了する。
【００５５】
また、本実施の形態では、有利遊技制御手段170は、特別遊技が終了した場合に、後述する有利遊技移行決定手段180により有利遊技へ移行することが決定されているときに、その後の１回目（最初）の遊技から、ＡＴを開始する。そして、有利遊技制御手段170は、後述する有利遊技移行決定手段180により決定された回数の遊技を実行したことを契機に、ＡＴを終了する。
なお、ＡＴの開始の契機としては、これに限られるものではなく、たとえば、特定の図柄の組み合わせが停止表示されたことなどを契機に、ＡＴを開始するようにしてもよい。
また、ＡＴの終了の契機としては、これに限られるものではなく、たとえば、役抽選により所定の役に当選したことを所定の回数報知したことを契機に、ＡＴを終了するようにしてもよい。また、たとえば、役抽選によりボーナス役に当選したことを契機に、ＡＴを終了するようにしてもよい。
【００５６】
（有利遊技移行決定手段180）
有利遊技移行決定手段180は、有利遊技へ移行するか否かを決定するものである。また、本実施の形態では、遊技者に付与する所定の特典を有利遊技（ＡＴ）への移行としているとともに、有利遊技移行決定手段180を、特典付与手段としている。
また、本実施の形態では、有利遊技移行決定手段180は、周期遊技回数カウンタ141のカウント値が「１００」になった場合、すなわち一の周期期間が終了した場合に、実行決定回数カウンタ161のカウント値が、規定回数としての「５」以上であるときに、有利遊技（ＡＴ）へ移行することを決定する。すなわち、有利遊技移行決定手段180は、一の周期期間において、特定演出実行決定手段150により、特定の演出を実行することが、規定回数としての５回以上決定された場合に、有利遊技（ＡＴ）へ移行することを決定する。
【００５７】
また、本実施の形態では、有利遊技移行決定手段180は、役抽選によりボーナス役に当選した場合に、実行決定回数カウンタ161のカウント値が、規定回数としての「５」以上であるときに、有利遊技（ＡＴ）へ移行することを決定する。
また、本実施の形態では、有利遊技移行決定手段180は、有利遊技（ＡＴ）へ移行することを決定した場合に、移行する有利遊技（ＡＴ）の遊技回数を決定する。具体的には、有利遊技移行決定手段180は、実行決定回数カウンタ161のカウント値が、規定回数としての「５」であった場合には、有利遊技（ＡＴ）の遊技回数を５０回に決定する。
また、有利遊技移行決定手段180は、実行決定回数カウンタ161のカウント値が、規定回数としての「５」より大きい場合には、実行決定回数カウンタ161のカウント値から、規定回数としての「５」を減算した値に、「１０」を乗算し、その値に、「５０」を加算した値を、有利遊技（ＡＴ）の遊技回数に決定する。
【００５８】
たとえば、実行決定回数カウンタ161のカウント値が「７」の場合には、
（７（実行決定回数カウンタ161のカウント値）−５（規定回数））×１０＋５０
＝７０
となり、有利遊技移行決定手段180は、有利遊技（ＡＴ）の遊技回数を７０回に決定する。
すなわち、本実施の形態では、一の周期期間において、特定演出実行決定手段150により、特定の演出を実行することが規定回数としての５回より多く決定された場合には、その決定された回数に応じて、有利遊技（ＡＴ）の遊技回数が加算されるものとなっている。
【００５９】
（特定演出実行パターン決定手段190）
特定演出実行パターン決定手段190は、一の周期期間が終了した場合に、特定演出実行記憶手段160により記憶されている一の周期期間における特定の演出を実行する旨の記憶数に基づいて、次回の周期期間において特定の演出を実行する実行パターンを決定するものである。
本実施の形態では、特定演出実行パターン決定手段190は、図３に示すように、実行パターンデータ記憶手段191と、実行パターン決定手段192とを備えている。
（実行パターンデータ記憶手段191）
実行パターンデータ記憶手段191は、特定の演出を実行する実行パターンデータ、および各実行パターンが選択される選択確率データを記憶するものである。本実施の形態では、実行パターンデータ記憶手段191は、図７に示すように、一の周期期間における特定の演出を実行する旨の記憶数ごとに、それぞれ、４つの実行パターンデータを記憶しているとともに、各実行パターンが選択される選択確率データを記憶している。
【００６０】
（実行パターン決定手段192）
実行パターン決定手段192は、一の周期期間が終了した場合に、実行パターンデータ記憶に記憶されている選択確率データを参照して、特定演出実行記憶手段160により記憶されている一の周期期間における特定の演出を実行する旨の記憶数に基づいて、次回の周期期間において特定の演出を実行する実行パターンを選択する選択抽選により、実行パターンを決定するものである。
本実施の形態では、実行パターン決定手段192は、周期遊技回数カウンタ141のカウント値が「１００」になった場合、すなわち一の周期期間が終了した場合に、実行パターンデータ記憶に記憶されている選択確率データを参照して、周期期間実行決定回数記憶手段163により、演出制御装置22のＲＡＭにおける所定の記憶領域に記憶されている値、すなわち、一の周期期間において特定の演出を実行することが決定された回数に基づいて、選択抽選により実行パターンを決定する。
【００６１】
具体的には、たとえば、演出制御装置22のＲＡＭにおける所定の記憶領域に記憶されている値が「１」の場合には、実行パターン決定手段192は、実行パターンデータ記憶に記憶されている選択確率データを参照して、図７（Ａ）に示す確率の選択抽選により、実行パターン１〜実行パターン４のうちのいずれかを選択する。
また、たとえば、演出制御装置22のＲＡＭにおける所定の記憶領域に記憶されている値が「２」の場合には、実行パターン決定手段192は、図７（Ｂ）に示す確率の選択抽選により、実行パターン５〜実行パターン８のうちのいずれかを選択し、また、たとえば、演出制御装置22のＲＡＭにおける所定の記憶領域に記憶されている値が「３」の場合には、実行パターン決定手段192は、図７（Ｃ）に示す確率の選択抽選により、実行パターン９〜実行パターン１２のうちのいずれかを選択し、また、たとえば、演出制御装置22のＲＡＭにおける所定の記憶領域に記憶されている値が「４」の場合には、実行パターン決定手段192は、図７（Ｄ）に示す確率の選択抽選により、実行パターン１３〜実行パターン１６のうちのいずれかを選択し、また、たとえば、演出制御装置22のＲＡＭにおける所定の記憶領域に記憶されている値が「５」の場合には、実行パターン決定手段192は、図７（Ｅ）に示す確率の選択抽選により、実行パターン１７〜実行パターン２０のうちのいずれかを選択する。
【００６２】
（特定演出実行手段200）
特定演出実行手段200は、特定演出実行記憶手段160により記憶されている一の周期期間における特定の演出を実行する旨の記憶数に基づいて、次回の周期期間中に、その記憶数分、特定の演出を実行するものである。
本実施の形態では、特定演出実行手段200は、実行パターン決定手段192により決定された実行パターンに基づいて、特定の演出を実行する。
具体的には、たとえば、一の周期期間が終了した場合に、実行パターン決定手段192により実行パターンが実行パターン１に決定されたときには、特定演出実行手段200は、実行パターンデータ記憶に記憶されている実行パターンデータを参照して、その次の周期期間における５回目の遊技において、特定の演出を実行する。詳細には、この場合には、特定演出実行手段200は、周期遊技回数カウンタ141のカウント値が「５」になったときに、特定の演出を実行する。
【００６３】
また、たとえば、一の周期期間が終了した場合に、実行パターン決定手段192により実行パターンが実行パターン１７に決定されたときには、特定演出実行手段200は、実行パターンデータ記憶191に記憶されている実行パターンデータを参照して、その次の周期期間における７回目の遊技において、１回目の特定の演出を実行し、１０回目の遊技において、２回目の特定の演出を実行し、３０回目の遊技において、３回目の特定の演出を実行し、５５回目の遊技において、４回目の特定の演出を実行し、そして、６０回目の遊技において、５回目の特定の演出を実行する。詳細には、この場合には、特定演出実行手段200は、周期遊技回数カウンタ141のカウント値が「７」になったときに、１回目の特定の演出を実行し、周期遊技回数カウンタ141のカウント値が「１０」になったときに、２回目の特定の演出を実行し、周期遊技回数カウンタ141のカウント値が「３０」になったときに、３回目の特定の演出を実行し、周期遊技回数カウンタ141のカウント値が「５５」になったときに、４回目の特定の演出を実行し、そして、周期遊技回数カウンタ141のカウント値が「６０」になったときに、５回目の特定の演出を実行する。
【００６４】
また、本実施の形態では、特定演出実行手段200は、特定の演出を実行したことを契機に、演出制御装置22のＲＡＭにおける所定の記憶領域に記憶されている値を「１」減算する。これにより、減算した後の演出制御装置22のＲＡＭにおける所定の記憶領域に記憶されている値が、現時点から現在の周期期間の終期までの間において特定の演出が実行される残りの回数（以下、「特定演出残り実行回数」と称する。）となる。
（現周期回数示唆演出制御手段210）
現周期回数示唆演出制御手段210は、特定演出実行記憶手段160により記憶されている前回の周期期間における特定の演出を実行する旨の記憶数と、現在の周期期間において特定演出実行手段200により特定の演出が実行された回数とに基づいて、現時点から現在の周期期間の終期までの間における特定演出実行手段200により特定の演出が実行される回数を示唆する現周期回数示唆演出を制御するものである。
【００６５】
本実施の形態では、現周期回数示唆演出として、図８に示すように、演出Ａ−１と、演出Ａ−２とを備えている。
また、本実施の形態では、現周期回数示唆演出制御手段210は、図４に示すように、演出実行決定手段211と、演出選択手段212と、演出実行手段213と、抽選データ記憶手段214とを備えている。
（演出実行決定手段211）
演出実行決定手段211は、特定演出実行手段200により特定の演出が実行されない場合に、現周期回数示唆演出を実行するか否かを決定するものである。本実施の形態では、演出実行決定手段211は、特定演出実行手段200により特定の演出が実行されない場合に、後述する抽選データ記憶手段214に記憶されている抽選確率データを参照して、「４／１２８」の当選確率で実行抽選を行い、この抽選の結果が当選のときに、現周期回数示唆演出を実行することを決定する。
【００６６】
（演出選択手段212）
演出選択手段212は、演出実行決定手段211により、現周期回数示唆演出を実行することが決定された場合に、特定演出実行記憶手段160により記憶されている前回の周期期間における特定の演出を実行する旨の記憶数と、現在の周期期間において特定演出実行手段200により特定の演出が実行された回数とに基づいて、演出Ａ−１または演出Ａ−２のいずれの演出を実行するかを決定するものである。
本実施の形態では、演出選択手段212は、演出実行決定手段211により、現周期回数示唆演出を実行することが決定された場合に、後述する抽選データ記憶手段214に記憶されている選択確率データを参照して、特定演出残り実行回数、すなわち、演出制御装置22のＲＡＭにおける所定の記憶領域に記憶されている値に基づいて、演出Ａ−１または演出Ａ−２のいずれの演出を実行するかを、図８に示す選択確率の選択抽選により決定する。
【００６７】
具体的には、たとえば、特定演出残り実行回数が「０」回の場合には、演出選択手段212は、図８に示すように、演出Ａ−１を選択する確率を「５８／６４」、演出Ａ−２を選択する確率を「６／６４」として、選択抽選を行い、演出Ａ−１または演出Ａ−２のいずれの演出を実行するかを決定する。
また、本実施の形態では、図８に示すように、特定演出残り実行回数が「０」回、「１」回、又は「２」回の場合には、演出Ａ−２よりも演出Ａ−１が選択される確率が高く設定されているとともに、特定演出残り実行回数が「３」回、「４」回、又は「５」回の場合には、演出Ａ−１よりも演出Ａ−２が選択される確率が高く設定されている。したがって、本実施の形態では、演出Ａ−１は、現時点から現在の周期期間の終期までの間における特定演出実行手段200により特定の演出が実行される回数が、「０」回、「１」回、又は「２」回である可能性が高いことを示唆するものとなっている。また、演出Ａ−２は、現時点から現在の周期期間の終期までの間における特定演出実行手段200により特定の演出が実行される回数が、「３」回、「４」回、又は「５」回である可能性が高いことを示唆するものとなっている。
【００６８】
（演出実行手段213）
演出実行手段213は、演出選択手段212により選択された演出を実行するものである。また、現周期回数示唆演出としての演出Ａ−１および演出Ａ−２は、表示装置55に表示する画像、スピーカから発する音、および演出用ランプ17の点灯・消灯・点滅の一または複数の組み合わせにより構成することができる。
また、抽選データ記憶手段214は、演出実行決定手段211における実行抽選の抽選確率データ、および演出選択手段212における選択抽選の選択確率データを記憶するものである。
【００６９】
（次周期回数示唆演出制御手段220）
次周期回数示唆演出制御手段220は、特定演出実行記憶手段160により記憶されている現在の周期期間における特定の演出を実行する旨の記憶数に基づいて、特定演出実行手段200により次回の周期期間中に特定の演出が実行される回数を示唆する次周期回数示唆演出を制御するものである。
本実施の形態では、次周期回数示唆演出として、図９に示すように、演出Ｂ−１と、演出Ｂ−２とを備えている。
また、本実施の形態では、現周期回数示唆演出制御手段210は、図５に示すように、演出実行決定手段221と、演出選択手段222と、演出実行手段223と、抽選データ記憶手段224とを備えている。
【００７０】
（演出実行決定手段221）
演出実行決定手段221は、特定演出実行手段200により特定の演出が実行されない場合であって、演出実行手段223により現周期回数示唆演出が実行されない場合に、次周期回数示唆演出を実行するか否かを決定するものである。本実施の形態では、演出実行決定手段221は、特定演出実行手段200により特定の演出が実行されない場合であって、演出実行手段213により現周期回数示唆演出が実行されない場合に、後述する抽選データ記憶手段224に記憶されている抽選確率データを参照して、「４／１２８」の当選確率で実行抽選を行い、この抽選の結果が当選のときに、次周期回数示唆演出を実行することを決定する。
【００７１】
（演出選択手段222）
演出選択手段222は、演出実行決定手段221により、次周期回数示唆演出を実行することが決定された場合に、特定演出実行記憶手段160により記憶されている現在の周期期間における特定の演出を実行する旨の記憶数に基づいて、演出Ｂ−１または演出Ｂ−２のいずれの演出を実行するかを決定するものである。
本実施の形態では、演出選択手段222は、演出実行決定手段221により、次周期回数示唆演出を実行することが決定された場合に、後述する抽選データ記憶手段224に記憶されている選択確率データを参照して、実行決定回数カウンタ161のカウント値に基づいて、演出Ｂ−１または演出Ｂ−２のいずれの演出を実行するかを、図９に示す選択確率の選択抽選により決定する。
【００７２】
具体的には、たとえば、実行決定回数カウンタ161のカウント値が「０」の場合には、演出選択手段222は、図９に示すように、演出Ｂ−１を選択する確率を「５８／６４」、演出Ｂ−２を選択する確率を「６／６４」として、選択抽選を行い、演出Ｂ−１または演出Ｂ−２のいずれの演出を実行するかを決定する。
また、本実施の形態では、図９に示すように、実行決定回数カウンタ161のカウント値が「０」、「１」、又は「２」の場合には、演出Ｂ−２よりも演出Ｂ−１が選択される確率が高く設定されているとともに、実行決定回数カウンタ161のカウント値が「３」、「４」、又は「５」以上の場合には、演出Ｂ−１よりも演出Ｂ−２が選択される確率が高く設定されている。したがって、本実施の形態では、演出Ｂ−１は、特定演出実行手段200により次回の周期期間中に特定の演出が実行される回数が、「０」回、「１」回、又は「２」回である可能性が高いことを示唆するものとなっている。また、演出Ｂ−２は、特定演出実行手段200により次回の周期期間中に特定の演出が実行される回数が、「３」回、「４」回、又は「５」回である可能性が高いことを示唆するものとなっている。
【００７３】
（演出実行手段223）
演出実行手段223は、演出選択手段222により選択された演出を実行するものである。また、次周期回数示唆演出としての演出Ｂ−１および演出Ｂ−２は、表示装置55に表示する画像、スピーカから発する音、および演出用ランプ17の点灯・消灯・点滅の一または複数の組み合わせにより構成することができる。
また、抽選データ記憶手段224は、演出実行決定手段221における実行抽選の抽選確率データ、および演出選択手段222における選択抽選の選択確率データを記憶するものである。
【００７４】
（カウント値判定手段230）
カウント値判定手段230は、周期遊技回数カウンタ141、および実行決定回数カウンタ161のカウント値を判定するものである。
（通常演出制御手段240）
通常演出制御手段240は、特定の演出、現周期回数示唆演出、および次周期回数示唆演出以外の演出を制御するものである。本実施の形態では、通常演出制御手段240は、役抽選の結果に応じて、表示装置55、スピーカ、および演出用ランプ17の作動を制御して、遊技を盛り上げるための演出などを実行する。
【００７５】
（スロットマシン10の動作）
以下、図１０〜図１６に示すフローチャートに基づいて、本実施の形態に係るスロットマシン10の動作の概略を説明する。
図１０に示すステップ１００において、遊技制御手段60により、通常遊技および有利遊技（ＡＴ）にあっては３枚のメダルがベットされたか否か、並びに特別遊技（ＢＢ１ゲーム、ＢＢ２ゲーム、及びＲＢゲーム）にあっては２枚のメダルがベットされたか否かが判断される。ここで、ベットされたと判断されると、ステップ１０１に進む。一方、ベットされていないと判断されると、再度ステップ１００となる。
【００７６】
ステップ１０１において、遊技制御手段60により、スタートスイッチ33が操作されたか否かが判断される。ここで、操作されたと判断されると、ステップ１０２に進む。一方、操作されていないと判断されると、再度ステップ１０１となる。
ステップ１０２において、周期遊技回数カウンタ制御手段142により、通常遊技であるか否かが判断される。ここで、通常遊技であると判断されると、ステップ１０３に進む。一方、通常遊技でないと判断されると、ステップ１０５に進む。
ステップ１０３において、周期遊技回数カウンタ制御手段142により、ボーナス当選フラグが成立しているか否かが判断される。ここで、成立していないと判断されると、ステップ１０４に進む。一方、成立していると判断されると、ステップ１０５に進む。
【００７７】
ステップ１０４において、周期遊技回数カウンタ制御手段142により、周期遊技回数カウンタ141のカウント値に「１」が加算される。そして、次のステップ１０５に進む。
ステップ１０５において、役抽選手段100により、役抽選が行われる。そして、次のステップ１０６に進む。
ステップ１０６において、有利遊技制御手段170により、有利遊技（ＡＴ）であるか否かが判断される。ここで、有利遊技（ＡＴ）であると判断されると、ステップ１０７に進む。一方、有利遊技（ＡＴ）でないと判断されると、ステップ１０８に進む。
ステップ１０７において、赤７プラム役または青７プラム役の当選を報知するＡＴ報知処理が行われる。そして、次のステップ１０８に進む。
【００７８】
ステップ１０８において、特定演出実行決定手段150により、特定の演出の実行の決定に係る特定演出実行決定処理が行われる。そして、次のステップ１０９に進む。
ステップ１０９において、有利遊技移行決定手段180により、ボーナス役に当選したか否かが判断される。ここで、当選したと判断されると、ステップ１１０に進む。一方、当選していないと判断されると、ステップ１１５に進む。
ステップ１１０において、カウント値判定手段230により、実行決定回数カウンタ161のカウント値が規定回数としての「５」以上であるか否かが判断される。ここで、「５」以上であると判断されると、ステップ１１１に進む。一方、「５」未満であると判断されると、ステップ１１５に進む。
【００７９】
ステップ１１１において、有利遊技移行決定手段180により、有利遊技（ＡＴ）へ移行することが決定されるとともに、有利遊技（ＡＴ）の遊技回数が決定される。そして、次のステップ１１２に進む。
ステップ１１２において、周期遊技回数カウンタ制御手段142により、周期遊技回数カウンタ141のカウント値が「０」にリセットされる。そして、次のステップ１１３に進む。
ステップ１１３において、実行決定回数カウンタ制御手段162により、実行決定回数カウンタ161のカウント値が「０」にリセットされる。そして、次のステップ１１４に進む。
【００８０】
ステップ１１４において、周期期間実行決定回数記憶手段163により、演出制御装置22のＲＡＭにおける所定の記憶領域の値が「０」にリセットされる。そして、次のステップ１１５に進む。
ステップ１１５において、特定演出実行手段200により、特定の演出の実行に係る特定演出実行処理が行われる。そして、次のステップ１１６に進む。
ステップ１１６において、演出実行決定手段211により、特定演出実行手段200により特定の演出が実行されたか否かが判断される。ここで、実行されていないと判断されると、ステップ１１７に進む。一方、実行されたと判断されると、ステップ１２０に進む。
【００８１】
ステップ１１７において、現周期回数示唆演出制御手段210により、現周期回数示唆演出に係る現周期回数示唆演出実行処理が行われる。そして、次のステップ１１８に進む。
ステップ１１８において、演出実行決定手段221により、演出実行手段213により現周期回数示唆演出が実行されたか否かが判断される。ここで、実行されていないと判断されると、ステップ１１９に進む。一方、実行されたと判断されると、ステップ１２０に進む。
ステップ１１９において、次周期回数示唆演出制御手段220により、次周期回数示唆演出に係る次周期回数示唆演出実行処理が行われる。そして、次のステップ１２０に進む。
ステップ１２０において、遊技制御手段60により、ストップスイッチ34が操作されたか否かが判断される。ここで、ストップスイッチ34が操作されたと判断されると、ステップ１２１に進む。一方、ストップスイッチ34が操作されていないと判断されると、再度ステップ１２０となる。
【００８２】
ステップ１２１において、停止制御手段120により、操作されたストップスイッチ34に対応する回転リール45の停止制御が行われる。そして、次のステップ１２２に進む。
ステップ１２２において、遊技制御手段60により、３個すべての回転リール45の回転が停止したか否かが判断される。ここで、３個すべての回転リール45の回転が停止したと判断されると、ステップ１２３に進む。一方、まだ回転中の回転リール45があると判断されると、ステップ１２０に戻る。
ステップ１２３において、停止図柄判定手段130により、いずれかの役に対応する図柄の組み合わせが、いずれかの有効入賞ライン上に停止表示されたか否かが判断される。ここで、停止表示されたと判断されると、ステップ１２４に進む。一方、停止表示されていないと判断されると、ステップ１２５に進む。
【００８３】
ステップ１２４において、遊技制御手段60により、停止表示された図柄の組み合わせに対応する役に応じた処理が行われる。たとえば、いずれかの小役に対応する図柄の組み合わせが停止表示された場合には、当該役に応じた枚数のメダルの払い出しが行われる。そして、次のステップ１２５に進む。
図１１に示すステップ１２５において、カウント値判定手段230により、周期遊技回数カウンタ141のカウント値が「１００」であるか否かが判断される。ここで、「１００」であると判断されると、ステップ１２６に進む。一方、「１００」でないと判断されると、ステップ１３２に進む。
【００８４】
ステップ１２６において、カウント値判定手段230により、実行決定回数カウンタ161のカウント値が規定回数としての「５」以上であるか否かが判断される。ここで、「５」以上であると判断されると、ステップ１２７に進む。一方、「５」未満であると判断されると、ステップ１２８に進む。
ステップ１２７において、有利遊技移行決定手段180により、有利遊技（ＡＴ）へ移行することが決定されるとともに、有利遊技（ＡＴ）の遊技回数が決定される。そして、次のステップ１２８に進む。
ステップ１２８において、周期期間実行決定回数記憶手段163により、実行決定回数カウンタ161のカウント値が、演出制御装置22のＲＡＭにおける所定の記憶領域に記憶されるとともに、演出制御装置22のＲＡＭにおける所定の記憶領域に記憶されている値が「６」以上の場合には、演出制御装置22のＲＡＭにおける所定の記憶領域に記憶されている値が「５」に変更される。そして、次のステップ１２９に進む。
【００８５】
ステップ１２９において、実行パターン決定手段192により、特定の演出を実行する実行パターンが決定される。そして、次のステップ１３０に進む。
ステップ１３０において、周期遊技回数カウンタ制御手段142により、周期遊技回数カウンタ141のカウント値が「０」にリセットされる。そして、次のステップ１３１に進む。
ステップ１３１において、実行決定回数カウンタ制御手段162により、実行決定回数カウンタ161のカウント値が「０」にリセットされる。そして、次のステップ１３２に進む。
【００８６】
ステップ１３２において、有利遊技制御手段170により、有利遊技（ＡＴ）へ移行することが決定されているか否かが判断される。ここで、移行することが決定されていると判断されると、ステップ１３３に進む。一方、移行することが決定されていないと判断されると、１回の遊技に係る処理が終了する。
ステップ１３３において、有利遊技制御手段170により、演出制御装置22のＲＡＭにおける所定の記憶領域の値が「０」であるか否かが判断される。ここで、「０」であると判断されると、ステップ１３４に進む。一方、「０」でないと判断されると、１回の遊技に係る処理が終了する。
【００８７】
ステップ１３４において、有利遊技制御手段170により、ボーナス当選フラグが成立しているか否かが判断される。ここで、成立していないと判断されると、ステップ１３５に進む。一方、成立していると判断されると、１回の遊技に係る処理が終了する。
ステップ１３５において、特別遊技制御手段80により、特別遊技であるか否かが判断される。ここで、特別遊技であると判断されると、ステップ１３６に進む。一方、特別遊技でないと判断されると、ステップ１３７に進む。
ステップ１３６において、特別遊技制御手段80により、特別遊技の終了条件を達成したか否かが判断される。具体的には、特別遊技制御手段80により、終了条件を特別遊技の終了条件である所定枚数のメダルを払い出したか否かが判断される。ここで、達成したと判断されると、ステップ１３７に進む。一方、終了条件を達成していないと判断されると、１回の遊技に係る処理が終了する。
【００８８】
ステップ１３７において、有利遊技制御手段170により、有利遊技（ＡＴ）へ移行される。そして、１回の遊技に係る処理が終了する。
上述したＡＴ報知処理について説明する。
図１２に示すステップ２００において、有利遊技制御手段170により、役抽選により赤７プラム役または青７プラム役に当選したか否かが判断される。ここで、赤７プラム役または青７プラム役に当選したと判断されると、ステップ２０１に進む。一方、赤７プラム役または青７プラム役に当選していないと判断されると、当該ＡＴ報知処理が終了する。
ステップ２０１において、有利遊技制御手段170により、当選した役が報知される。そして、当該ＡＴ報知処理が終了する。
【００８９】
上述した特定演出実行決定処理について説明する。
図１３に示すステップ３００において、特定演出実行決定手段150により、ベル役またはチェリー役に当選したか否かが判断される。ここで、ベル役またはチェリー役に当選したと判断されると、ステップ３０１に進む。一方、ベル役またはチェリー役に当選していないと判断されると、当該特定演出実行決定処理が終了する。
ステップ３０１において、特定演出実行決定手段150により、特定の演出を実行するか否かを決定する抽選が行われる。そして、次のステップ３０２に進む。
ステップ３０２において、特定演出実行決定手段150により、抽選の結果が当選であるか否かが判断される。ここで、抽選の結果が当選であると判断されると、ステップ３０３に進む。一方、抽選の結果がハズレであると判断されると、当該特定演出実行決定処理が終了する。
【００９０】
ステップ３０３において、実行決定回数カウンタ制御手段162により、実行決定回数カウンタ161のカウント値に「１」が加算される。そして、当該特定演出実行決定処理が終了する。
上述した特定演出実行処理について説明する。
図１４に示すステップ４００において、特定演出実行手段200により、実行パターン決定手段192により決定された実行パターンに基づいて、特定の演出を実行する遊技回数か否かが判断される。ここで、特定の演出を実行する遊技回数であると判断されると、ステップ４０１に進む。一方、特定の演出を実行する遊技回数でないと判断されると、当該特定演出実行処理が終了する。
【００９１】
ステップ４０１において、特定演出実行手段200により、特定の演出が実行される。そして、次のステップ４０２に進む。
ステップ４０２において、特定演出実行手段200により、演出制御装置22のＲＡＭにおける所定の記憶領域に記憶されている値が「１」減算される。そして、当該特定演出実行処理が終了する。
上述した現周期回数示唆演出実行処理について説明する。
図１５に示すステップ５００において、演出実行決定手段211により、現周期回数示唆演出を実行するか否かを決定する実行抽選が行われる。そして、次のステップ５０１に進む。
【００９２】
ステップ５０１において、演出実行決定手段211により、実行抽選の結果が当選であるか否かが判断される。ここで、実行抽選の結果が当選であると判断されると、ステップ５０２に進む。一方、実行抽選の結果がハズレであると判断されると、当該現周期回数示唆演出実行処理が終了する。
ステップ５０２において、演出選択手段212により、演出Ａ−１または演出Ａ−２のいずれの演出を実行するかを決定する選択抽選が行われ、実行する演出が決定される。そして、次のステップ５０３に進む。
ステップ５０３において、演出実行手段213により、演出選択手段212によりにより決定された演出が実行される。そして、当該現周期回数示唆演出実行処理が終了する。
【００９３】
上述した次周期回数示唆演出実行処理について説明する。
図１６に示すステップ６００において、演出実行決定手段221により、次周期回数示唆演出を実行するか否かを決定する実行抽選が行われる。そして、次のステップ６０１に進む。
ステップ６０１において、演出実行決定手段221により、実行抽選の結果が当選であるか否かが判断される。ここで、実行抽選の結果が当選であると判断されると、ステップ６０２に進む。一方、実行抽選の結果がハズレであると判断されると、当該次周期回数示唆演出実行処理が終了する。
【００９４】
ステップ６０２において、演出選択手段222により、演出Ｂ−１または演出Ｂ−２のいずれの演出を実行するかを決定する選択抽選が行われ、実行する演出が決定される。そして、次のステップ６０３に進む。
ステップ６０３において、演出実行手段223により、演出選択手段222によりにより決定された演出が実行される。そして、当該次周期回数示唆演出実行処理が終了する。
（作用・効果）
以上に説明したように、本実施の形態では、周期遊技回数カウント手段140により、１００回の遊技回数から成る周期期間がカウントされる。また、役抽選により、ベル役またはチェリー役に当選すると、特定演出実行決定手段150により、特定の演出を実行するか否かが決定され、特定の演出を実行することが決定されると、実行決定回数カウンタ制御手段162により、実行決定回数カウンタ161のカウント値に「１」が加算される。そして、周期遊技回数カウント手段140により、１００回の遊技がカウントされ、周期期間の終期になると、カウント値判定手段230により、実行決定回数カウンタ161のカウント値が「５」以上であるか否かが判定され、「５」以上であると判定されると、有利遊技移行決定手段180により、ＡＴへ移行することが決定される。また、実行決定回数カウンタ161のカウント値が「５」以上であると判定されると、周期期間実行決定回数記憶手段163により、実行決定回数カウンタ161のカウント値が所定の記憶領域に記憶される。そして、実行決定回数カウンタ161のカウント値が所定の記憶領域に記憶されると、実行パターン決定手段192により、この所定の記憶領域に記憶されている値に基づいて、特定の演出を実行する実行パターンが決定される。
【００９５】
そして、次の周期期間において、特定演出実行手段200により、実行パターン決定手段192により決定された実行パターンに基づいて、特定の演出が実行される。特定の演出が実行されると、特定演出実行手段200により、所定の記憶領域に記憶されている値が「１」減算される。そして、有利遊技移行決定手段180により、ＡＴへ移行することが決定されている場合に、所定の記憶領域に記憶されている値が「０」になると、すなわち、５回目の特定の演出が実行されると、有利遊技制御手段170により、ＡＴが開始される。
また、特定の演出の実行と並行して、当該周期期間においても、役抽選により、ベル役またはチェリー役に当選すると、特定演出実行決定手段150により、特定の演出を実行するか否かが決定され、特定の演出を実行することが決定されると、実行決定回数カウンタ制御手段162により、実行決定回数カウンタ161のカウント値に「１」が加算される。そして、周期遊技回数カウント手段140により、１００回の遊技がカウントされ、周期期間の終期になると、カウント値判定手段230により、実行決定回数カウンタ161のカウント値が「５」以上であるか否かが判定され、「５」以上であると判定されると、有利遊技移行決定手段180により、ＡＴへ移行することが決定される。また、実行決定回数カウンタ161のカウント値が「５」以上であると判定されると、周期期間実行決定回数記憶手段163により、実行決定回数カウンタ161のカウント値が所定の記憶領域に記憶される。そして、実行決定回数カウンタ161のカウント値が所定の記憶領域に記憶されると、実行パターン決定手段192により、この所定の記憶領域に記憶されている値に基づいて、特定の演出を実行する実行パターンが決定される。
【００９６】
そして、次の周期期間においても同様に、特定演出実行手段200により、実行パターン決定手段192により決定された実行パターンに基づいて、特定の演出が実行されるとともに、特定の演出の実行と並行して、役抽選により、ベル役またはチェリー役に当選すると、特定演出実行決定手段150により、特定の演出を実行するか否かが決定され、特定の演出を実行することが決定されると、実行決定回数カウンタ制御手段162により、実行決定回数カウンタ161のカウント値に「１」が加算される。そして以降、同様に繰り返される。
すなわち、本実施の形態では、一の周期期間においては、前回の周期期間における特定の演出を実行する旨の記憶数に応じて決定された実行パターンに基づいて、特定の演出が実行されるとともに、特定の演出の実行と並行して、次回の周期期間に係る、特定の演出を実行するか否かの決定が行われ、特定の演出を実行することが決定された場合には、その旨が記憶される。
【００９７】
以上より、本実施の形態では、ＡＴの移行に係る特定の演出が実行されることに対して、複数の遊技（詳細には、連続する二つの周期期間）に渡って遊技者に継続して期待感を持たせることができる。これにより、遊技者に遊技を続行する動機を持たせることができ、遊技機の稼働率を向上させることができる。
また、本実施の形態では、特定の演出を実行しない場合に、現周期回数示唆演出制御手段210により、所定の確率で、現時点から現在の周期期間の終期までの間における特定演出実行手段200により特定の演出が実行される回数を示唆する現周期回数示唆演出が実行される。具体的には、特定の演出を実行しない場合に、演出実行決定手段211により、周期回数示唆演出を実行することが決定されると、演出選択手段212により、所定の記憶領域に記憶されている値に基づいて、選択抽選が行われ、演出Ａ−１または演出Ａ−２のいずれかが決定され、決定された演出が実行される。
【００９８】
これにより、本実施の形態では、ＡＴの移行に係る特定の演出が実行されることに対して、現周期回数示唆演出が実行された後から現在の周期期間の終期までの間に渡って、さらに、遊技者に継続して期待感を持たせることができる。これにより、現在の周期期間の終期まで遊技を続行する動機を遊技者に強く持たせることができ、遊技機の稼働率をさらに向上させることができる。
また、本実施の形態では、特定の演出、および現周期回数示唆演出を実行しない場合に、次周期回数示唆演出制御手段220により、所定の確率で、次回の周期期間中に特定の演出が実行される回数を示唆する次周期回数示唆演出が実行される。具体的には、特定の演出、および現周期回数示唆演出を実行しない場合に、演出実行決定手段221により、次期回数示唆演出を実行することが決定されると、演出選択手段222により、実行決定回数カウンタ161のカウント値に基づいて、選択抽選が行われ、演出Ｂ−１または演出Ｂ−２のいずれかが決定され、決定された演出が実行される。
【００９９】
これにより、本実施の形態では、ＡＴの移行に係る特定の演出が実行されることに対して、次周期回数示唆演出が実行された後から次回の周期期間の終期までの間に渡って、さらに、遊技者に継続して期待感を持たせることができる。これにより、次回の周期期間の終期まで遊技を続行する動機を遊技者に強く持たせることができ、遊技機の稼働率をさらに向上させることができる。
また、本実施の形態では、一の周期期間に係る遊技回数、ＡＴの移行に係る特定の演出を実行する規定回数、特定の演出を実行することを決定する契機、および特定の演出を実行することが決定される確率などに応じて、遊技性に幅を持たせることができ、遊技の幅を広げることができる。
【０１００】
なお、本実施の形態では、周期期間に係る遊技回数は１００回であるが、これに限られるものではなく、たとえば、５０回や、２００回などとすることができる。
また、本実施の形態では、周期遊技回数カウンタ制御手段142は、周期遊技回数カウンタ141のカウント値が「１００」になった場合に、周期遊技回数カウンタ141のカウント値を「０」にリセットするものであるが、「０」にリセットしないようにしてもよい。
また、本実施の形態では、周期期間実行決定回数記憶手段163は、周期遊技回数カウンタ141のカウント値が「１００」になった場合に、周期遊技回数カウンタ141のカウント値を所定の記憶領域に記憶するものであるが、これに限られるものではない。たとえば、周期期間実行決定回数記憶手段163は、周期遊技回数カウンタ141のカウント値が「１００」の倍数になった場合に、周期遊技回数カウンタ141のカウント値を所定の記憶領域に記憶するようにしてもよい。
【０１０１】
また、本実施の形態では、実行決定回数カウンタ制御手段162は、役抽選によりボーナス役に当選した場合に、実行決定回数カウンタ161のカウント値を「０」にリセットするものであるが、「０」にリセットしないようにしてもよい。この場合には、特定演出実行手段200は、役抽選により当選したボーナス役に係る特別遊技が終了した後に開始される周期期間において、このボーナス役に当選した時の実行決定回数カウンタ161のカウント値に基づいて、特定の演出を実行するようにしてもよい。
また、本実施の形態では、有利遊技移行決定手段180は、実行決定回数カウンタ161のカウント値が、規定回数としての「５」より大きい場合には、ＡＴの遊技回数を加算するものであるが、これに限られるものではない。たとえば、５回目に実行される特定の演出の遊技回数を、所定回数（たとえば、１０回）減算するようにしてもよい。すなわち、ＡＴへ移行するまでの遊技回数を減算するようにしてもよい。また、たとえば、実行パターンを実行パターン２０にするようにしてもよい。
【０１０２】
また、本実施の形態では、特定の演出は実行パターンに基づいて実行されるので、すなわち、ＡＴへ移行するまでの遊技回数が予め決まっているので、ＡＴへ移行する可能性が高いことを示唆する演出（いわゆる前兆演出）を実行するようにしてもよい。これにより、遊技の興趣を向上させることができる。
（第２の実施の形態）
本発明の第２の実施の形態を、図１７〜図２３に基づいて説明する。
上記第１の実施の形態では、特定の演出は、表示装置55に表示する特定の画像、スピーカから発する特定の音、および演出用ランプ17の特定の点滅のパターンにより構成されるものであるが、本実施の形態では、回転リール45を用いた演出である回転リール演出である点が相違する。
【０１０３】
また、上記第１の実施の形態では、演出制御装置22が、周期遊技回数カウント手段140、特定演出実行決定手段150、特定演出実行記憶手段160、特定演出実行手段200、及びカウント値判定手段230として機能するものであるが、本実施の形態では、遊技制御装置21が、周期遊技回数カウント手段140、特定演出実行決定手段150、特定演出実行記憶手段160、特定演出実行手段200、及びカウント値判定手段230として機能する点が相違するとともに、特定演出実行手段200の構成が相違する。
また、上記第１の実施の形態では、一の周期期間に係る遊技回数は１００回で固定されているとともに、規定回数は５回で固定されているものであるが、本実施の形態では、役抽選によりボーナス役に当選した場合に、一の周期期間に係る遊技回数、および規定回数が決定（言い換えれば、変更）されるものである点が相違する。具体的には、本実施の形態では、遊技制御装置21は、上記第１の実施の形態では機能しなかった、周期期間決定手段250、および規定回数決定手段260として機能する点が相違する。
【０１０４】
また、上記第１の実施の形態では、演出制御装置22は、特定演出実行パターン決定手段190として機能するものであるが、本実施の形態では、制御装置20は、特定演出実行パターン決定手段190として機能しない点が相違する。
それ以外の点は、上記第１の実施の形態と同様である。以下、相違点を中心に第２の実施の形態を説明する。
（遊技制御装置21・演出制御装置22）
上述の如く、本実施の形態では、遊技制御装置21を構成するマイクロコンピュータは、図１７に示すように、遊技制御手段60、役抽選手段100、回転制御手段110、停止制御手段120、停止図柄判定手段130、周期遊技回数カウント手段140、特定演出実行決定手段150、特定演出実行記憶手段160、特定演出実行手段200、カウント値判定手段230、周期期間決定手段250、及び規定回数決定手段260などとして機能する。
【０１０５】
また、演出制御装置22を構成するマイクロコンピュータは、図１７に示すように、有利遊技制御手段170、有利遊技移行決定手段180、現周期回数示唆演出制御手段210、次周期回数示唆演出制御手段220、及び通常演出制御手段240などとして機能する。
（周期期間決定手段250）
周期期間決定手段250は、所定の契機により、一の周期期間に係る遊技回数を決定するものである。本実施の形態では、所定の契機を、役抽選によるボーナス役の当選としている。
また、本実施の形態では、周期期間決定手段250は、一の周期期間に係る遊技回数を、５０回、７５回、及び１００回のうちからいずれかを抽選により決定する。
【０１０６】
すなわち、本実施の形態では、周期期間決定手段250は、役抽選によりボーナス役の当選した場合に、一の周期期間に係る遊技回数を、５０回、７５回、及び１００回のうちから、いずれかを抽選により決定する。
なお、一の周期期間に係る遊技回数としては、これに限られるものではない。
（規定回数決定手段260）
規定回数決定手段260は、有利遊技移行決定手段180（特典付与手段）により所定の特典としてのＡＴへ移行することが決定されるための条件である特定の演出を実行する規定回数を、周期期間決定手段250により決定された一の周期期間の遊技回数に応じて決定するものである。
【０１０７】
本実施の形態では、規定回数決定手段260は、周期期間決定手段250により、一の周期期間に係る遊技回数が決定されたことを契機に、規定回数を決定する。
また、本実施の形態では、規定回数決定手段260は、周期期間決定手段250により、一の周期期間に係る遊技回数が５０回に決定された場合には、規定回数を、２回、３回、及び４回のうちから、いずれかを抽選により決定する。
また、本実施の形態では、規定回数決定手段260は、周期期間決定手段250により、一の周期期間に係る遊技回数が７５回に決定された場合には、規定回数を、３回、４回、及び５回のうちから、いずれかを抽選により決定する。
【０１０８】
また、本実施の形態では、規定回数決定手段260は、周期期間決定手段250により、一の周期期間に係る遊技回数が１００回に決定された場合には、規定回数を、４回、５回、及び６回のうちから、いずれかを抽選により決定する。
なお、規定回数としては、これに限られるものではない。
（周期遊技回数カウンタ制御手段142）
本実施の形態では、周期遊技回数カウンタ制御手段142は、周期遊技回数カウンタ141のカウント値が、周期期間決定手段250により決定された回数の値になった場合、すなわち一の周期期間が終了した場合に、周期遊技回数カウンタ141のカウント値を「０」にリセットする。
【０１０９】
（実行決定回数カウンタ制御手段162）
本実施の形態では、実行決定回数カウンタ制御手段162は、周期遊技回数カウンタ141のカウント値が、周期期間決定手段250により決定された回数の値になった場合、すなわち一の周期期間が終了した場合に、周期期間実行決定回数記憶手段163により、実行決定回数カウンタ161のカウント値が所定の記憶領域に記憶された後に、実行決定回数カウンタ161のカウント値を「０」にリセットする。
（周期期間実行決定回数記憶手段163）
本実施の形態では、周期期間実行決定回数記憶手段163は、周期遊技回数カウンタ141のカウント値が、周期期間決定手段250により決定された回数の値になった場合、すなわち一の周期期間が終了した場合に、実行決定回数カウンタ161のカウント値を、遊技制御装置21のＲＡＭにおける所定の記憶領域に記憶する。
【０１１０】
また、本実施の形態では、周期期間実行決定回数記憶手段163は、遊技制御装置21のＲＡＭにおける所定の記憶領域に記憶されている値が、規定回数決定手段260により決定された規定回数の値より大きい場合には、遊技制御装置21のＲＡＭにおける所定の記憶領域に記憶されている値を、規定回数決定手段260により決定された規定回数の値に変更する。
（有利遊技移行決定手段180）
本実施の形態では、有利遊技移行決定手段180は、周期遊技回数カウンタ141のカウント値が、周期期間決定手段250により決定された回数の値になった場合、すなわち一の周期期間が終了した場合に、実行決定回数カウンタ161のカウント値が、規定回数決定手段260により決定された規定回数の値以上であるときに、有利遊技（ＡＴ）へ移行することを決定する。すなわち、有利遊技移行決定手段180は、一の周期期間において、特定演出実行決定手段150により、特定の演出を実行することが、規定回数以上決定された場合に、有利遊技（ＡＴ）へ移行することを決定する。
【０１１１】
また、本実施の形態では、有利遊技移行決定手段180は、役抽選によりボーナス役に当選した場合に、実行決定回数カウンタ161のカウント値が、規定回数決定手段260により決定された規定回数の値以上であるときに、有利遊技（ＡＴ）へ移行することを決定する。
また、本実施の形態では、有利遊技移行決定手段180は、有利遊技（ＡＴ）へ移行することを決定した場合に、移行する有利遊技（ＡＴ）の遊技回数を決定する。具体的には、有利遊技移行決定手段180は、実行決定回数カウンタ161のカウント値が、規定回数決定手段260により決定された規定回数の値であった場合には、有利遊技（ＡＴ）の遊技回数を５０回に決定する。
【０１１２】
また、有利遊技移行決定手段180は、実行決定回数カウンタ161のカウント値が、規定回数決定手段260により決定された規定回数の値より大きい場合には、実行決定回数カウンタ161のカウント値から、規定回数決定手段260により決定された規定回数の値を減算した値に、「１０」を乗算し、その値に、「５０」を加算した値を、有利遊技（ＡＴ）の遊技回数に決定する。
たとえば、実行決定回数カウンタ161のカウント値が「７」であって、規定回数決定手段260により決定された規定回数の値が「４」の場合には、
（７（実行決定回数カウンタ161のカウント値）−４（規定回数））×１０＋５０
＝８０
となり、有利遊技移行決定手段180は、有利遊技（ＡＴ）の遊技回数を８０回に決定する。
【０１１３】
すなわち、本実施の形態では、一の周期期間において、特定演出実行決定手段150により、特定の演出を実行することが、規定回数決定手段260により決定された規定回数より多く決定された場合には、その決定された回数に応じて、有利遊技（ＡＴ）の遊技回数が加算されるものとなっている。
（特定演出実行手段200）
上述の如く、本実施の形態では、特定の演出は、遊技の進行を遅延させるとともに、その間に実行する、回転リール45を用いた演出である回転リール演出である。
また、本実施の形態では、特定演出実行手段200は、図１８に示すように、回転リール演出データ記憶手段201と、回転リール演出実行決定手段202と、計時手段203と、遊技進行遅延手段204と、回転リール演出実行手段205とを備えている。
【０１１４】
（回転リール演出データ記憶手段201）
回転リール演出データ記憶手段201は、遊技の進行を遅延させる期間（遅延時間）と、その間に実行される回転リール演出の実行内容とを予め定めた回転リール演出データを記憶するものである。
本実施の形態では、回転リール演出データ記憶手段201は、遅延時間として、「３０００」（ミリ秒）が定められ、実行内容として、「２５００ミリ秒の間、全ての回転リール45を通常の回転方向（正方向）とは逆の方向（逆方向）に回転し、その後、５００ミリ秒の間、全ての回転リール45回転停止」が定められた回転リール演出データを記憶している。
【０１１５】
なお、本実施の形態では、特定の演出としての回転リール演出は１種類であるが、特定の演出として、複数種類の回転リール演出を設けるようにしてもよい。
（回転リール演出実行決定手段202）
回転リール演出実行決定手段202は、特定の演出としての回転リール演出を実行するか否かを決定するものである。本実施の形態では、回転リール演出実行決定手段202は、通常遊技（非内部中）において、スタートスイッチ33の操作を契機に、特定の演出としての回転リール演出を実行するか否かを決定する。
具体的には、回転リール演出実行決定手段202は、現在の周期期間の残りの遊技回数と、遊技制御装置21のＲＡＭにおける所定の記憶領域に記憶されている値とが同一である場合には、回転リール演出を実行することを決定する。すなわち、本実施の形態では、特定演出残り実行回数と、現在の周期期間の残りの遊技回数とが同一の場合には、回転リール演出を強制的に実行する。
【０１１６】
また、回転リール演出実行決定手段202は、現在の周期期間の残りの遊技回数と、所定の記憶領域に記憶されている値とが同一でない場合には、回転リール演出を実行するか否かを抽選により決定する。
（計時手段203）
計時手段203は、遅延時間を計時するものである。本実施の形態では、計時手段203は、回転リール演出実行決定手段202により、回転リール演出を実行することが決定されたことを契機に、計時を開始する。また、本実施の形態では、計時手段203は、後述する回転リール演出実行手段205により、回転リール演出が実行され、その回転リール演出が終了したことを条件に計時を終了する。
【０１１７】
（遊技進行遅延手段204）
遊技進行遅延手段204は、回転リール演出実行決定手段202により、回転リール演出を実行することが決定されたことを契機に、遊技の進行を遅延させるものである。
ここで、「遊技の進行の遅延」とは、スタートスイッチ33が操作されてから全ての回転リール45が所定の定常速度に達して定速回転するまでの時間や、全ての回転リール45が所定の定常速度に達してからストップスイッチ34が有効となるまでの時間や、メダルを払い出す場合に、停止図柄判定手段130による判定が行われてからメダルの払い出しを開始するまでの時間や、当該遊技が終了してから次回の遊技の開始の受け付けまでの時間を、通常の遊技の進行よりも遅らせるものである。そして、このような「遊技の進行の遅延」は、一般に「フリーズ演出」などと称されるものである。
【０１１８】
本実施の形態では、遊技進行遅延手段204は、スタートスイッチ33が操作されてから全ての回転リール45が所定の定常速度に達して正方向に定速回転するまでの時間を、通常の遊技の進行よりも遅らせることにより、遊技の進行を遅延させるものである。
具体的には、遊技進行遅延手段204は、回転リール演出実行決定手段202により、回転リール演出を実行することが決定されたことを契機に、回転リール演出データ記憶手段201に記憶されている回転リール演出データを参照して、遅延時間を取得する。そして、遊技進行遅延手段204は、遊技の進行の遅延を開始する旨の信号である遅延開始信号を回転制御手段110に出力する。
【０１１９】
そして、遊技進行遅延手段204は、計時手段203により計時される計時時間が取得した遅延時間に達したことを契機に、遊技の進行の遅延を終了する旨の信号である遅延終了信号を回転制御手段110に出力する。
そして、遅延開始信号が入力されると、回転制御手段110は、加速処理の開始を一旦保留し、その後、遅延終了信号の入力されると、加速処理を開始する。これにより、スタートスイッチ33が操作されてから全ての回転リール45が所定の定常速度に達して正方向に定速回転するまでの時間が、通常の遊技の進行よりも遅れることとなり、遊技の進行が遅延することとなる。
【０１２０】
（回転リール演出実行手段205）
回転リール演出実行手段205は、回転リール演出データ記憶手段201により記憶されている回転リール演出データに基づいて、回転リール演出を実行するものである。
本実施の形態では、回転リール演出実行手段205は、回転リール演出データ記憶手段201により記憶されている回転リール演出データに基づいて、計時手段203により計時される計時時間が２５００ミリ秒に達するまで、全ての回転リール45を逆方向に回転させ、その後、計時時間が３００ミリ秒に達するまで、全ての回転リール45の回転を停止させる。
また、本実施の形態では、回転リール演出実行手段205は、回転リール演出を実行したことを契機に、遊技制御装置21のＲＡＭにおける所定の記憶領域に記憶されている値を「１」減算する。
【０１２１】
（演出選択手段212）
本実施の形態では、演出選択手段212は、演出実行決定手段211により、現周期回数示唆演出を実行することが決定された場合に、抽選データ記憶手段214に記憶されている選択確率データを参照して、特定演出残り実行回数、すなわち、遊技制御装置21のＲＡＭにおける所定の記憶領域に記憶されている値に基づいて、演出Ａ−１または演出Ａ−２のいずれの演出を実行するかを、図１９に示す選択確率の選択抽選により決定する。
具体的には、たとえば、特定演出残り実行回数が「５」回以上の場合には、演出選択手段212は、図１９に示すように、演出Ａ−１を選択する確率を「６／６４」、演出Ａ−２を選択する確率を「５８／６４」として、選択抽選を行い、演出Ａ−１または演出Ａ−２のいずれの演出を実行するかを決定する。
【０１２２】
（通常演出制御手段240）
本実施の形態では、通常演出制御手段240は、特別遊技において、周期期間決定手段250により決定された一の周期期間に係る遊技回数と、規定回数決定手段260により決定された規定回数とに基づいて、当該特別遊技が終了した後の周期期間におけるＡＴへの移行する難易度を遊技者に報知する難易度報知演出を実行する。
具体的には、たとえば、図２０に示すように、周期期間決定手段250により決定された一の周期期間に係る遊技回数が５０回であって、規定回数決定手段260により決定された規定回数が２回であった場合には、通常演出制御手段240は、特別遊技中に、当該特別遊技が終了した後の周期期間におけるＡＴへの移行する難易度が易しいものであることを報知する。
【０１２３】
（スロットマシン10の動作）
以下、図２１〜図２３に示すフローチャートに基づいて、本実施の形態に係るスロットマシン10の動作の概略を説明する。なお、本実施の形態に係るスロットマシン10の動作は、上記第１の実施の形態に係るスロットマシン10の動作と、ステップ７１０、ステップ７１２、ステップ７１３、ステップ７１７、ステップ７２７、及びステップ７２８の処理が相違するため、相違点を中心に説明する。
図２１に示すステップ７００〜ステップ７０９において、上記第１の実施の形態におけるステップ１００〜ステップ１０９と同様の処理が行われ、ステップ７１０に進む。
【０１２４】
ステップ７１０において、カウント値判定手段230により、実行決定回数カウンタ161のカウント値が、規定回数決定手段260により決定された規定回数の値である決定値以上であるか否かが判断される。ここで、決定値以上であると判断されると、ステップ７１１に進む。一方、決定値未満であると判断されると、ステップ７１７に進む。
ステップ７１１において、有利遊技移行決定手段180により、有利遊技（ＡＴ）へ移行することが決定されるとともに、有利遊技（ＡＴ）の遊技回数が決定される。そして、次のステップ７１２に進む。
ステップ７１２において、周期期間決定手段250により、一の周期期間に係る遊技回数が決定される。そして、次のステップ７１３に進む。
【０１２５】
ステップ７１３において、規定回数決定手段260により、周期期間決定手段250により決定された一の周期期間の遊技回数に応じて、規定回数が決定される。そして、次のステップ７１４に進む。
ステップ７１４〜７１６において、上記第１の実施の形態におけるステップ１１２〜ステップ１１４と同様の処理が行われ、ステップ７１７に進む。
ステップ７１７において、特定演出実行手段200により、特定演出実行処理が行われる。そして、次のステップ７１８に進む。
ステップ７１８〜７２６において、上記第１の実施の形態におけるステップ１１６〜ステップ１２４と同様の処理が行われ、ステップ７２７に進む。
【０１２６】
図２２に示すステップ７２７において、カウント値判定手段230により、周期遊技回数カウンタ141のカウント値が、周期期間決定手段250により決定された一の周期期間に係る遊技回数の値である決定値であるか否かが判断される。ここで、決定値であると判断されると、ステップ７２８に進む。一方、決定値でないと判断されると、ステップ７３４に進む。
ステップ７２８において、カウント値判定手段230により、実行決定回数カウンタ161のカウント値が、規定回数決定手段260により決定された規定回数の値である決定値以上であるか否かが判断される。ここで、決定値以上であると判断されると、ステップ７２９に進む。一方、決定値未満であると判断されると、ステップ７３０に進む。
【０１２７】
ステップ７２９〜ステップ７３０において、上記第１の実施の形態におけるステップ１２７〜ステップ１２８と同様の処理が行われる。そして、次のステップ７３１に進む。
ステップ７３１〜ステップ７３８において、上記第１の実施の形態におけるステップ１３０〜ステップ１３７と同様の処理が行われ、１回の遊技に係る処理が終了する。
上述した特定演出実行処理について説明する。
図２３に示すステップ８００において、回転リール演出実行決定手段202により、通常遊技であるか否かが判断される。ここで、通常遊技であると判断されると、ステップ８０１に進む。一方、通常遊技でないと判断されると、当該特定演出実行処理が終了する。
【０１２８】
ステップ８０１において、回転リール演出実行決定手段202により、ボーナス当選フラグが成立しているか否かが判定される。ここで、成立していないと判断されると、ステップ８０２に進む。一方、成立していると判断されると、当該特定演出実行処理が終了する。
ステップ８０２において、回転リール演出実行決定手段202により、回転リール演出を実行するか否かが決定される。そして、次のステップ８０３に進む。
ステップ８０３において、遊技進行遅延手段204により、回転リール演出を実行することが決定されているか否かが判断される。ここで、決定されていると判断されると、ステップ８０４に進む。一方、決定されていないと判断されると、当該特定演出実行処理が終了する。
【０１２９】
ステップ８０４において、遊技進行遅延手段204により、回転リール演出データ記憶手段201により記憶されている回転リール演出データが参照されて、遅延時間が取得される。そして、次のステップ８０５に進む。
ステップ８０５において、計時手段203により、計時が開始される。そして、次のステップ８０６に進む。
ステップ８０６において、遊技進行遅延手段204により、遊技の進行の遅延が開始される。そして、次のステップ８０７に進む。
ステップ８０７において、回転リール演出実行手段205により、回転リール演出実行決定手段202により決定された回転リール演出が実行される。そして、次のステップ８０８に進む。
【０１３０】
ステップ８０８において、遊技進行遅延手段204により、遅延時間が経過したか否かが判断される。ここで、経過したと判断されると、ステップ８０９に進む。一方、経過していないと判断されると、再度ステップ８０８となる。
ステップ８０９において、遊技進行遅延手段204により、遊技の進行の遅延が終了される。そして、当該特定演出実行処理が終了する。
なお、ＡＴ報知処理、特定演出実行決定処理、現周期回数示唆演出実行処理、および次周期回数示唆演出実行処理については、上記第１の実施の形態と同様である。
（作用・効果）
このような構成としても、上記第１の実施の形態と同様の作用・効果を奏する。
【０１３１】
また、本実施の形態では、役抽選によりボーナス役に当選すると、周期期間決定手段250により、一の周期期間に係る遊技回数が決定されるとともに、規定回数決定手段260により、ＡＴへの移行に係る特定の演出を実行する規定回数が決定される。これにより、ＡＴへ移行のしやすさ（難易度）が変化することとなり、遊技性に幅を持たせることができ、遊技の幅を広げることができ、遊技の興趣を向上させることができる。
なお、本実施の形態では、回転リール演出の遅延時間として、「３０００」（ミリ秒）が定められ、実行内容として、「２５００ミリ秒の間、全ての回転リール45を通常の回転方向（正方向）とは逆の方向（逆方向）に回転し、その後、５００ミリ秒の間、全ての回転リール45回転停止」が定めらているが、回転リール演出の遅延時間及び実行内容としては、これに限られるものではない。すなわち、回転リール演出の実行内容としては、回転を開始しない、正方向に回転、逆方向に回転、一部の回転リール45のみ回転、所定の定常速度より低速度で回転、所定の定常速度より高速度で回転、回転中の一旦停止、回転中の加速度変化、複数の回転リール45が順次回転開始、複数の回転リール45が同時に回転開始のうちの一又は複数の適宜の組み合わせとすることができる。たとえば、回転リール演出の実行内容としては、「複数の回転リール45を逆方向に順次回転を開始させ、その後全ての回転リール45の回転を所定時間停止させ、その後、複数の回転リール45を正方向に順次回転を開始させる」等とすることができる。
【０１３２】
また、本実施の形態では、特定の演出のみが回転リール演出であるが、遊技制御装置21を構成するマイクロコンピュータが、現周期回数示唆演出制御手段210、および次周期回数示唆演出制御手段220として機能するようにすることにより、現周期回数示唆演出、および次周期回数示唆演出も回転リール演出とすることができる。この場合には、特定の演出、現周期回数示唆演出、および次周期回数示唆演出のいずれの演出を実行するか否かを一の抽選により決定することができる。
また、本実施の形態では、役抽選によりボーナス役に当選した場合に、周期期間決定手段250により、一の周期期間に係る遊技回数が決定されるとともに、規定回数決定手段260により、ＡＴへの移行に係る特定の演出を実行する規定回数が決定されるものであるが、これに限られるものではない。たとえば、役抽選によりベル役またはチェリー役に当選した場合などに、周期期間決定手段250により、一の周期期間に係る遊技回数が決定されるとともに、規定回数決定手段260により、ＡＴへの移行に係る特定の演出を実行する規定回数が決定されるようにしてもよい。
【０１３３】
（他の実施の形態）
上述した実施の形態では、特定演出実行決定手段150は、役抽選により、ベル役またはチェリー役に当選したときに、特定の演出を実行するか否かを抽選により決定するものであるが、これに限られるものではない。たとえば、特定の演出を実行するか否かを決定する抽選において、当選する確率が相対的に高い高確率状態と、当選する確率が相対的に低い低確率状態とを設けて、これらの状態を所定の契機により切り替えるように形成し、特定演出実行決定手段150は、役抽選により、ベル役またはチェリー役に当選したときに、特定の演出を実行するか否かを、高確率状態または低確率状態に応じて、抽選により決定するようにしてもよい。
【０１３４】
また、たとえば、特定演出実行決定手段150は、役抽選とは別に、毎遊技、抽選を行い、その結果により、特定の演出を実行するか否かを決定するようにしてもよい。
また、上述した実施の形態では、有利遊技移行決定手段180は、一の周期期間が終了したときに、ＡＴへ移行するか否かを決定するものであるが、これに限られるものではない。たとえば、有利遊技移行決定手段180は、特定演出実行手段200により、規定回数の特定の演出が実行されたときに、ＡＴへ移行することを決定するようにしてもよい。
また、たとえば、有利遊技移行決定手段180は、特定演出実行決定手段150により、特定の演出を実行することが、規定回数決定された場合に、ＡＴへ移行することを決定するようにしてもよい。
【０１３５】
この場合には、たとえば、ＡＴへ移行する可能性が高いことを遊技者に示唆するＡＴ移行示唆演出や、ＡＴへ移行することが決定されたことを遊技者に報知するＡＴ移行報知演出などを実行することができる。
また、上述した実施の形態では、特定の演出、現周期回数示唆演出、および次周期回数示唆演出は、一の遊技では実行されないものであるが、これに限られるものではなく、特定の演出、現周期回数示唆演出、および次周期回数示唆演出のうちの複数の演出が同一の遊技で実行されるようにしてもよい。
また、上述した実施の形態では、現周期回数示唆演出は、特定演出実行手段200により特定の演出が実行されない場合に、抽選により実行され、また、次周期回数示唆演出は、特定演出実行手段200により特定の演出が実行されない場合であって、演出実行手段213により現周期回数示唆演出が実行されない場合に、抽選により実行されるものであるが、これに限られるものではない。
【０１３６】
たとえば、特定演出実行手段200により特定の演出が実行されない場合に、現周期回数示唆演出、および次周期回数示唆演出のいずれの演出を実行するか否かを一の抽選により決定するようにしてもよい。具体的には、現周期回数示唆演出、および次周期回数示唆演出のいずれの演出を実行するか否かを、８／１２８の当選確率で、一の抽選により決定するようにしてもよい。
また、上述した実施の形態では、所定の契機により、特定演出実行決定手段150により特定の演出を実行することが当該遊技において決定された可能性が高いことを示唆する演出を実行するようにしてもよい。
【０１３７】
また、上述した実施の形態では、有利遊技として、当選した小役を遊技者に対して告知するアシストタイム（ＡＴ）を実行するとしたが、ＡＴに限られるものではなく、例えば、再遊技当選の当選確率を通常遊技と異なるように設定したリプレイタイム（ＲＴ）を実行するようにしてもよい。また、たとえば、いずれかの回転リール45のスベリコマ数を０コマ又は１コマにすることにより、いわゆる目押しを可能としたチャレンジタイム（ＣＴ）を実行するようにしてもよい。
また、上述した実施の形態では、ＡＴは、当選した小役を遊技者に対して告知する遊技であるとしたが、これに限られるものではない。ＡＴとしては、たとえば、当選した小役に対する図柄の組み合わせが有効入賞ライン上に停止表示可能となるストップスイッチ34の操作順序（いわゆる「押し順」）を報知するタイプのものもある。
【０１３８】
本発明は、上述した実施の形態に限定されるものではなく、本発明の目的を達成できる範囲における変形および改良なども含むものである。また、本発明は、上述した実施の形態を適宜組み合わせる、または組み替えることもできる。
【符号の説明】
【０１３９】
10  スロットマシン（遊技機）          33  スタートスイッチ
34  ストップスイッチ                  45  回転リール
140  周期遊技回数カウント手段         150  特定演出実行決定手段
160  特定演出実行記憶手段             180  有利遊技移行決定手段（特典付与手段）
200  特定演出実行手段                 210  現周期回数示唆演出制御手段
220  次周期回数示唆演出制御手段       250  周期期間決定手段
260  規定回数決定手段
【図１】
0005552679.tif 000002
【図２】
0005552679.tif 000003
【図３】
0005552679.tif 000004
【図４】
0005552679.tif 000005
【図５】
0005552679.tif 000006
【図６】
0005552679.tif 000007
【図７】
0005552679.tif 000008
【図８】
0005552679.tif 000009
【図９】
0005552679.tif 000010
【図１０】
0005552679.tif 000011
【図１１】
0005552679.tif 000012
【図１２】
0005552679.tif 000013
【図１３】
0005552679.tif 000014
【図１４】
0005552679.tif 000015
【図１５】
0005552679.tif 000016
【図１６】
0005552679.tif 000017
【図１７】
0005552679.tif 000018
【図１８】
0005552679.tif 000019
【図１９】
0005552679.tif 000020
【図２０】
0005552679.tif 000021
【図２１】
0005552679.tif 000022
【図２２】
0005552679.tif 000023
【図２３】
0005552679.tif 000024